(57)【要約】血圧測定時における動脈の容積変化を示す圧脈波振幅の変化に対し、予め設定した定数を用いて所定の演算を実行することにより血圧算出パラメータを算出する血圧算出手段を備え、血圧測定時における利用者の状態又は／及び前記カフの状態に関連する測定状態関連情報を別途取得する情報取得手段と、該情報取得手段により前記測定状態関連情報を取得した場合、前記定数を前記測定状態関連情報に基づいて補正することにより、血圧算出パラメータを補正する補正手段とを備えた電子血圧計。
2010073688.tif 000002
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段を備え、
血圧値を記録する記録手段と、血圧測定などの操作を行う操作手段を備えた電子血圧計であって、
前記血圧算出手段は、血圧測定時における動脈の容積変化を示す圧脈波振幅の変化に対し、予め設定した定数を用いて所定の演算を実行することにより血圧算出パラメータを算出する構成であり、
血圧測定時における利用者の状態又は／及び前記カフの状態に関連する測定状態関連情報を別途取得する情報取得手段と、
該情報取得手段により前記測定状態関連情報を取得した場合、
前記定数を前記測定状態関連情報に基づいて補正することにより、血圧算出パラメータを補正する補正手段とを備えた
電子血圧計。
【請求項２】
前記血圧算出手段は、圧脈波振幅の最大値に対し第１定数を乗算する所定の演算に基づいて収縮期血圧算出パラメータを算出するととともに、
圧脈波振幅の最大値に対し第２定数を乗算する所定の演算に基づいて拡張期血圧算出パラメータを算出する構成であり、
前記情報取得手段は、利用者の状態に関連する前記測定状態関連情報として、仮決定した血圧値の情報を取得する構成であり、
前記補正手段は、前記仮決定した血圧値に基づいて前記第１、第２定数を補正する構成である
請求項１記載の電子血圧計。
【請求項３】
前記血圧算出手段は、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するととともに、
圧脈波振幅の最大値に第２定数を乗算し、かつ前記バックグラウンド脈波の成分に関連する第４定数を加算する所定の演算に基づいて収縮期血圧算出パラメータを算出する構成であり、
前記補正手段は、前記測定状態関連情報に基づいて前記第３、第４定数を補正する構成である
請求項１記載の電子血圧計。
【請求項４】
前記情報取得手段は、利用者の状態に関連する前記測定状態関連情報として、仮決定した血圧値の情報を取得する構成であり、
前記補正手段は、前記仮決定した血圧値に基づいて前記第１、第２定数または前記第３、第４定数を補正する構成である
請求項２または３記載の電子血圧計。
【請求項５】
前記情報取得手段は、前記測定状態関連情報としてカフ圧の最大値の情報を取得する構成であり、
前記補正手段は、前記カフ圧の最大値に基づいて前記第１、第２定数または前記第３、第４定数を補正する構成である
請求項２または３記載の電子血圧計。
【請求項６】
前記情報取得手段は、利用者の状態に関連する前記測定状態関連情報として、圧脈波振幅の最大値の情報を取得する構成であり、
前記補正手段は、前記圧脈波振幅の最大値に基づいて前記第１、第２定数または前記第３、第４定数を補正する構成である
請求項２または３記載の電子血圧計。
【請求項７】
前記情報取得手段は、前記測定状態関連情報として前記カフの巻付け強度の情報を取得する構成であり、
前記補正手段は、前記カフの巻付け強度の情報に基づいて前記第１、第２定数または前記第３、第４定数を補正する構成である
請求項２または３記載の電子血圧計。
【請求項８】
前記情報取得手段は、前記測定状態関連情報として前記カフのサイズ又は／及び種類に関連するカフ仕様情報を取得する構成であり、
前記補正手段は、前記カフ仕様情報に基づいて前記第１、第２定数または前記第３、第４定数を補正する構成である
請求項２または３記載の電子血圧計。
【請求項９】
前記情報取得手段は、前記測定状態関連情報として利用者の測定部位に関連する情報を取得する構成であり、
前記補正手段は、利用者の測定部位に関連する情報に基づいて前記第１、第２定数または前記第３、第４定数を補正する構成である
請求項２または３記載の電子血圧計。
【請求項１０】
前記情報取得手段は、前記測定状態関連情報として利用者の疾病情報を取得する構成であり、
前記補正手段は、利用者の疾病情報に基づいて前記第１、第２定数または前記第３、第４定数を補正する構成である
請求項２または３記載の電子血圧計。
【請求項１１】
前記情報取得手段は、前記測定状態関連情報として利用者の年齢情報を取得する構成であり、
前記補正手段は、利用者の年齢情報に基づいて前記第１、第２定数または前記第３、第４定数を補正する構成である
請求項２または３記載の電子血圧計。
【請求項１２】
前記情報取得手段は、前記のカフの内圧の変化の検出に基づいて前記測定状態関連情報を取得する構成である
請求項２または３記載の電子血圧計。
【請求項１３】
利用者による前記測定状態関連情報の入力を許容する入力手段を備え、
前記情報取得手段は、前記血圧測定開始前に入力された前記測定状態関連情報を取得する構成である
請求項２または３記載の電子血圧計。
【請求項１４】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
前記血圧算出手段において、血圧測定時における動脈の容積変化を示す圧脈波振幅の最大値に対し、予め設定した定数を用いて所定の演算を実行することにより血圧算出パラメータを算出するステップを有するとともに、
血圧測定時における利用者の状態又は／及び前記カフの状態に関連する測定状態関連情報を情報取得手段により別途取得し、
前記測定状態関連情報を前記情報取得手段により取得した場合、補正手段において前記定数を前記測定状態関連情報に基づいて補正することにより、前記血圧算出パラメータを補正するステップを有する
血圧測定方法。
【請求項１５】
前記血圧算出手段により血圧算出パラメータを算出するステップは、圧脈波振幅の最大値に対し第１定数を乗算する所定の演算に基づいて収縮期血圧算出パラメータを算出するとともに、
圧脈波振幅の最大値に第２定数を乗算する所定の演算に基づいて拡張期血圧算出パラメータを算出し、
前記補正手段により補正するステップは、前記利用者の状態に関連する測定状態関連情報として、仮決定した血圧値の情報を情報取得手段により取得し、
前記仮決定した血圧値に基づいて前記第１、第２定数を補正する
請求項１４記載の血圧測定方法。
【請求項１６】
前記血圧算出手段により血圧算出パラメータを算出するステップは、圧脈波振幅の最大値に対し第１定数を乗算し、かつ前記バックグラウンド脈波の成分に関連する第３定数を加算する所定の演算に基づいて収縮期血圧算出パラメータを算出するとともに、
圧脈波振幅の最大値に対し第２定数を乗算し、かつ前記バックグラウンド脈波の成分に関連する第４定数を加算する所定の演算に基づいて拡張期血圧算出パラメータを算出し、
前記補正手段により補正するステップは、前記測定状態関連情報に基づいて前記第３、第４定数を補正する
請求項１４記載の血圧測定方法。
【発明の詳細な説明】
【技術分野】
【０００１】
この発明は、血圧測定部位に装着するカフと、カフ圧により血圧値を算出する血圧算出手段を備えた電子血圧計、およびこれを用いた血圧測定方法に関する。
【背景技術】
【０００２】
血圧は、循環器系疾患を解析する指標の一つである。血圧に基づいてリスク解析を行うことは、たとえば脳卒中や心不全や心筋梗塞などの心血管系の疾患の予防に有効である。このリスク解析を行うための診断は、従来、通院時や健康診断時などの医療機関で測定される血圧（随時血圧）により行われていた。しかし、近年の研究により、家庭で測定する血圧（家庭血圧）が随時血圧より循環器系疾患の診断に有用であることが判明してきた。それに伴い、家庭で使用する血圧計が普及している。【０００３】
現在普及している電子血圧計は、そのほとんどがオシロメトリック方式の血圧算出アルゴリズムを用いている。オシロメトリック方式は、上腕などの測定部位にカフを巻き、所定圧まで加圧したあと、徐々に、あるいは、段階的に減圧していく。このオシロメトリック方式は、その減圧途中に発生する動脈容積変化をカフ圧に重畳する圧変化（圧脈波振幅）として検出し、その圧脈波振幅の変化に対し、所定のアルゴリズムを適用して収縮期血圧・拡張期血圧を決定する方式である。一般的に、減圧中に得られる圧脈波振幅が急に大きくなった点が収縮期血圧、逆に急に小さくなった点が拡張期血圧に近似している。そこで、この点を検出するために様々なアルゴリズムが検討されてきた。【０００４】
例えば、図９、及び、下記［数１］に示すように、圧脈波振幅の最大値に予め設定された所定の比率（第１定数α、第２定数β）を乗じて得られた値を血圧算出パラメータとし、そのパラメータと合致（あるいはもっとも近い）する圧脈波振幅が得られるカフ圧を血圧値として算出するものが提案されている（下記特許文献１参照）。  
［数１］  
収縮期血圧算出パラメータ＝圧脈波振幅最大値×α  
拡張期血圧算出パラメータ＝圧脈波振幅最大値×β
【先行技術文献】
【特許文献】
【０００５】
【特許文献１】特公平３−８１３７５号公報
【発明の概要】
【発明が解決しようとする課題】
【０００６】
しかし、この圧脈波振幅が急変するところが収縮期血圧、拡張期血圧と一致するという理論的根拠は存在しない。このため、上記血圧算出パラメータを決定する第１、第２定数（α、β）は、多数の血圧値および圧脈波振幅の変化パターン（以下、「包絡線」という。）に基づき経験的あるいは統計的に決定せざるを得なかった。ここで、従来においては、血圧測定時における利用者の状態又は／及び前記カフの状態に関わらず、第１定数αは約０．５程度、第２定数βは約０．７程度の固定値とされていた。【０００７】
一方、包絡線を形成する圧脈波振幅について、次のような課題がある。  
まず、圧脈波振幅は、測定部位に装着したカフに伝達される動脈の容積変化を圧力変化として検出したものである。そのため、圧脈波振幅は、カフの特性に影響を受けることになる。カフの特性の一つとして、図１０のグラフに示すように、カフ内の圧力（以下カフ圧）を１ｍｍＨｇ変化させるために必要な空気流量（以下、カフコンプライアンス）がある。図１０に示すように、カフ圧が高くなるにつれ、カフコンプライアンスは小さくなる。そのため、このカフに、カフ圧に依存せず一定の脈波振幅を与えると、図１１に示すように、その振幅はカフ圧が高くなるにつれ大きく検出されることになる。【０００８】
したがって、例えば同一の包絡線形状となるような圧脈波振幅の変化をもった血圧の異なる２人の利用者を測定した場合、血圧によって血圧計が検出する圧脈波振幅、すなわち、包絡線形状が異なる。このため、血圧によってその測定精度に差が出ることがあった。【０００９】
次に、図１２を参照しながら、利用者の腕Ａの動脈Ｂをカフ２１０１によって圧迫した時の状態を説明する。カフ圧を血圧測定範囲の所定圧以上に加圧したとき、図１２に示すように、カフ２１０１の中央部はその圧力が十分に動脈Ｂに伝達され、動脈Ｂは完全に圧閉されている。【００１０】
しかしながら、カフ２１０１の端部はその圧力が十分に動脈Ｂに伝達されないため、動脈Ｂは完全には圧閉されないことになる。これは、カフ２１０１の構造に依存するもので、一般に使用されているカフ構造では、必ず動脈Ｂが圧閉されない部分が生じる。カフ２１０１の心臓側にあたるこの圧閉されない部分では、血流が存在するため、動脈Ｂの容積変化が発生し、それによる圧脈波が検出されることになる。前記特許文献１では、この圧脈波をバックグラウンド脈波と称している。このバックグラウンド脈波が存在するため、前記［数１］では収縮期血圧を過大に、拡張期血圧を過小に検出することになる。【００１１】
そこで、前記特許文献１に開示された従来技術では、前記［数１］を下記［数２］に示すように変更している。つまり、圧脈波振幅の最大値に予め設定された所定の比率（第１定数α）を乗じて得られた値にバックグラウンド脈波の成分を示すオフセット補正値（第３定数ζ）を加算することにより、収縮期血圧算出パラメータを算出し、さらには、圧脈波振幅の最大値に予め設定された所定の比率（第２定数β）を乗じて得られた値にバックグラウンド脈波の成分を示すオフセット補正値（第４定数η）を加算することにより、拡張期血圧算出パラメータを算出している。【００１２】
［数２］  
収縮期血圧算出パラメータ＝圧脈波振幅最大値×α＋ζ  
拡張期血圧算出パラメータ＝圧脈波振幅最大値×β＋η  【００１３】
前記［数２］は、バックグラウンド脈波が利用者の属性（腕Ａの周囲長・血圧）やカフ２１０１のサイズ、カフ圧など、血圧測定時における利用者の状態又は／及びカフ２１０１の状態に依存せず一定であるとの前提に基づいている。【００１４】
しかしながら、バックグラウンド脈波は血圧測定時における前記各種状態によって変化することが判明してきた。例えば、カフ圧を上昇していくと、図１２に示すように動脈Ｂが圧閉される幅が広くなる。これに伴い、動脈Ｂが圧閉されないことによってバックグラウンド脈波が発生する幅が狭くなり、図１３に示すグラフのように、結果として検出されるバックグラウンド脈波のレベルは小さくなる。【００１５】
また、圧脈波振幅は利用者の動脈Ｂの力学的特性（動脈内外圧差に伴う動脈容積変化）に依存して変化する。例えば、動脈Ｂが柔らかい人はその振幅が大きく、逆に動脈硬化が進行した人ではその振幅が小さくなる（図１４参照）。したがって、前記力学的特性に依存してバックグラウンド脈波も変化する。【００１６】
このことより、バックグラウンド脈波の成分を一定として定義された前記［数２］により収縮期血圧・拡張期血圧を決定すると、利用者によって過小または過大に血圧を決定されることになる。【００１７】
この発明は、上述の問題に鑑み、血圧測定時における動脈の容積変化を示す圧脈波振幅の変化に対し、予め設定した定数を用いて所定の演算を実行する際に、該定数を測定状態関連情報に基づいて補正することにより、取得済みのデータを利用して精度よく血圧値を取得する電子血圧計および血圧測定方法を提供し、利用者の満足度を向上させることを目的とする。
【課題を解決するための手段】
【００１８】
この発明は、血圧測定部位に装着するカフと、カフに加える圧力を調整する加圧・減圧手段と、カフ内の圧力を検出する圧力検出手段と、カフ圧により血圧値を算出する血圧算出手段を備え、血圧値を記録する記録手段と、血圧測定などの操作を行う操作手段を備えた電子血圧計であって、前記血圧算出手段は、血圧測定時における動脈の容積変化を示す圧脈波振幅の変化に対し、予め設定した定数を用いて所定の演算を実行することにより血圧算出パラメータを算出する構成であり、血圧測定時における利用者の状態又は／及び前記カフの状態に関連する測定状態関連情報を別途取得する情報取得手段と、該情報取得手段により前記測定状態関連情報を取得した場合、前記定数を前記測定状態関連情報に基づいて補正することにより、血圧算出パラメータを補正する補正手段とを備えた電子血圧計であることを特徴とする。【００１９】
前記利用者の状態に関連する前記測定状態関連情報は、測定時における利用者の血圧値に関連する情報、圧脈波振幅の最大値、測定部位に関連する情報、利用者の疾病情報、利用者の年齢情報で構成することができる。  【００２０】
前記カフの状態に関連する前記測定状態関連情報は、血圧測定時におけるカフ圧の最大値の情報、カフの巻付け強度の他、カフのサイズ、種類といったカフ仕様情報で構成することができる。【００２１】
この発明により、血圧測定時における利用者の状態又は／及び前記カフの状態ごとに最適な血圧算出パラメータを設定し、測定誤差を低減できる。【００２２】
またこの発明は、前記血圧算出手段が、圧脈波振幅の最大値に対し第１定数を乗算する所定の演算に基づいて収縮期血圧算出パラメータを算出するととともに、圧脈波振幅の最大値に対し第２定数を乗算する所定の演算に基づいて拡張期血圧算出パラメータを算出する構成であり、前記情報取得手段は、利用者の状態に関連する前記測定状態関連情報として、仮決定した血圧値の情報を取得する構成であり、前記補正手段は、前記仮決定した血圧値に基づいて前記第１、第２定数を補正する構成である電子血圧計であることを特徴とする。【００２３】
前記仮決定した血圧値は、標準の血圧算出パラメータにより減圧中に仮決定することができる。  
前記仮決定した血圧値は、標準の血圧算出パラメータにより加圧中に仮決定することができる。  
前記仮決定した血圧値は、前記記録手段に記録されている血圧値とすることができる。  
この発明により、利用者の血圧値ごとに最適な血圧算出パラメータを設定し、測定誤差を低減できる。【００２４】
またこの発明は、前記血圧算出手段が、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するととともに、圧脈波振幅の最大値に第２定数を乗算し、かつ前記バックグラウンド脈波の成分に関連する第４定数を加算する所定の演算に基づいて収縮期血圧算出パラメータを算出する構成であり、前記補正手段は、前記測定状態関連情報に基づいて前記第３、第４定数を補正する構成である電子血圧計であることを特徴とする。【００２５】
この発明により、バックグラウンド脈波の成分に関連する第３、第４定数を、血圧測定時における利用者の状態又は／及び前記カフの状態ごとに補正することができ、これによりバックグラウンド脈波の成分に起因する誤差の影響を抑制して正確な血圧値を算出できる。【００２６】
またこの発明は、前記情報取得手段が、利用者の状態に関連する前記測定状態関連情報として、仮決定した血圧値の情報を取得する構成であり、前記補正手段は、前記仮決定した血圧値に基づいて前記第３、第４定数を補正する構成とすることができる。【００２７】
またこの発明は、前記情報取得手段が、前記測定状態関連情報としてカフ圧の最大値の情報を取得する構成であり、前記補正手段は、前記カフ圧の最大値に基づいて前記第３、第４定数を補正する構成とすることができる。【００２８】
またこの発明は、前記情報取得手段が、利用者の状態に関連する前記測定状態関連情報として、圧脈波振幅の最大値の情報を取得する構成であり、前記補正手段は、前記圧脈波振幅の最大値に基づいて前記第３、第４定数を補正する構成とすることができる。【００２９】
またこの発明は、前記情報取得手段が、前記測定状態関連情報として前記カフの巻付け強度の情報を取得する構成であり、前記補正手段は、前記カフの巻付け強度の情報に基づいて前記第３、第４定数を補正する構成とすることができる。【００３０】
またこの発明は、前記情報取得手段が、前記測定状態関連情報として前記カフのサイズ又は／及び種類に関連するカフ仕様情報を取得する構成であり、前記補正手段は、前記カフ仕様情報に基づいて前記第３、第４定数を補正する構成とすることができる。【００３１】
またこの発明は、前記情報取得手段が、前記測定状態関連情報として利用者の測定部位に関連する情報を取得する構成であり、前記補正手段は、利用者の測定部位に関連する情報に基づいて前記第３、第４定数を補正する構成とすることができる。【００３２】
前記利用者の測定部位に関連する情報は、測定部位の周囲長、質といった情報で構成することができる。【００３３】
前記測定部位の質は体脂肪率、皮下脂肪率、又は、ＢＭＩとすることができる。【００３４】
またこの発明は、前記情報取得手段が、前記測定状態関連情報として利用者の疾病情報を取得する構成であり、前記補正手段は、利用者の疾病情報に基づいて前記第３、第４定数を補正する構成とすることができる。【００３５】
またこの発明は、前記情報取得手段が、前記測定状態関連情報として利用者の年齢情報を取得する構成であり、前記補正手段は、利用者の年齢情報に基づいて前記第３、第４定数を補正する構成とすることができる。【００３６】
またこの発明は、前記情報取得手段が、前記のカフの内圧の変化の検出に基づいて前記測定状態関連情報を取得する構成とすることができる。【００３７】
またこの発明は、利用者による前記測定状態関連情報の入力を許容する入力手段を備え、前記情報取得手段は、前記血圧測定開始前に入力された前記測定状態関連情報を取得する構成とすることができる。【００３８】
またこの発明は、カフを血圧測定部位に装着した時に前記カフに加える圧力を加圧・減圧手段により調整し、圧力検出手段により検出したカフ圧に基づいて、血圧算出手段により血圧値を算出する血圧測定方法であって、前記血圧算出手段において、血圧測定時における動脈の容積変化を示す圧脈波振幅の最大値に対し、予め設定した定数を用いて所定の演算を実行することにより血圧算出パラメータを算出するステップを有するとともに、血圧測定時における利用者の状態又は／及び前記カフの状態に関連する測定状態関連情報を情報取得手段により別途取得し、前記測定状態関連情報を前記情報取得手段により取得した場合、補正手段において前記定数を前記測定状態関連情報に基づいて補正することにより、前記血圧算出パラメータを補正するステップを有する血圧測定方法とすることができる。【００３９】
この発明により、血圧測定時における利用者の状態又は／及び前記カフの状態ごとに最適な血圧算出パラメータを設定し、測定誤差を低減する処理を実行することができる。【００４０】
またこの発明は、前記血圧算出手段により血圧算出パラメータを算出するステップが、圧脈波振幅の最大値に対し第１定数を乗算する所定の演算に基づいて収縮期血圧算出パラメータを算出するとともに、圧脈波振幅の最大値に第２定数を乗算する所定の演算に基づいて拡張期血圧算出パラメータを算出し、前記補正手段により補正するステップは、前記利用者の状態に関連する測定状態関連情報として、仮決定した血圧値の情報を情報取得手段により取得し、前記仮決定した血圧値に基づいて前記第１、第２定数を補正することができる。【００４１】
この発明により、利用者の血圧値ごとに最適な血圧算出パラメータを設定し、測定誤差を低減する処理を実行することができる。【００４２】
またこの発明は、前記血圧算出手段により血圧算出パラメータを算出するステップが、圧脈波振幅の最大値に対し第１定数を乗算し、かつ前記バックグラウンド脈波の成分に関連する第３定数を加算する所定の演算に基づいて収縮期血圧算出パラメータを算出するとともに、圧脈波振幅の最大値に対し第２定数を乗算し、かつ前記バックグラウンド脈波の成分に関連する第４定数を加算する所定の演算に基づいて拡張期血圧算出パラメータを算出し、前記補正手段により補正するステップは、前記測定状態関連情報に基づいて前記第３、第４定数を補正することができる。【００４３】
この発明により、バックグラウンド脈波の成分に関連する第３、第４定数を、血圧測定時における利用者の状態又は／及び前記カフの状態ごとに補正し、バックグラウンド脈波の成分に起因する誤差の影響を抑制して正確な血圧値を算出する処理を実行することができる。
【発明の効果】
【００４４】
この発明により、取得済みのデータを利用して精度よく血圧値を取得する電子血圧計および血圧測定方法を提供し、利用者の満足度を向上させることができる。
【図面の簡単な説明】
【００４５】
【図１】実施例１の電子血圧計の構成を示すブロック図。
【図２】実施例１における血圧測定動作を示すフローチャート。
【図３】標準及び仮平均血圧値ごとの血圧算出パラメータ決定用の比率を示すテーブル。
【図４】実施例１における血圧測定動作の別の例を示すフローチャート。
【図５】実施例１における血圧測定動作の別の例を示すフローチャート。
【図６】実施例２における血圧測定動作を示すフローチャート。
【図７】利用者の腕の動脈をカフによって圧迫した時の状態を示す図であり、バックグラウンド脈波と利用者の測定部位の周囲長との関係を説明するための図。
【図８】利用者の腕の動脈をカフによって圧迫した時の状態を示す図であり、バックグラウンド脈波とカフのサイズとの関係を説明するための図。
【図９】オシロトリック方式血圧計の血圧算出アルゴリズム例を説明するグラフ。
【図１０】カフの特性（カフコンプライアンス）例を示すグラフ。
【図１１】一定の脈波振幅を入力したとき血圧計が検出する圧脈波振幅例を示すグラフ。
【図１２】利用者の腕の動脈をカフによって圧迫した時の状態を示す図であり、バックグラウンド脈波と血圧値との関係を説明するための図。
【図１３】バックグラウンド脈波振幅の特性を示すグラフ。
【図１４】動脈の力学的特性例を示すグラフ。
【発明を実施するための形態】
【００４６】
以下、この発明の一実施形態を図面と共に説明する。  
【実施例１】
【００４７】
先ず、血圧算出パラメータを利用者の血圧値毎に最適化する実施例１について説明する。  
実施例１の電子血圧計２１００は、図１に示すように、カフ２１０１、エア管２１０２、圧力センサ２１０３、ポンプ２１０４、弁２１０５、発振回路２１１１、ポンプ駆動回路２１１２、弁駆動回路２１１３、計時部２１１５、電源２１１６、ＣＰＵ２１２０、表示部２１２１、メモリ（処理用）２１２２、メモリ（記録用）２１２３、操作部２１３０、インターフェイス２１７１、外部メモリ２１７２を備えている。  
なお、図１は、実施例１の電子血圧計２１００の構成を示すブロック図である。【００４８】
カフ２１０１は、エア管２１０２に接続され、空気圧により加圧するために利用者の血圧測定部位に装着される帯状の部材である。【００４９】
圧力センサ２１０３は、静電容量型の圧力センサであり、カフ内の圧力（カフ圧）に応じて容量値が変化する。【００５０】
ポンプ２１０４、及び、弁２１０５は、カフ内に圧力を付与するとともにカフ内の圧力を調節（制御）する。  
発振回路２１１１は、圧力センサ２１０３の容量値に応じた周波数の信号を出力する。  
ポンプ駆動回路２１１２、及び、弁駆動回路２１１３は、それぞれポンプ２１０４、弁２１０５を駆動する。【００５１】
計時部２１１５は、現在日時を計時する装置であり、必要に応じて計時した日時をＣＰＵ２１２０へ送信する。  
電源２１１６は、各構成部に電力供給を行なう。【００５２】
ＣＰＵ２１２０は、ポンプ２１０４、弁２１０５、表示部２１２１、メモリ２１２２，２１２３、操作部２１３０、インターフェイス２１７１の制御と血圧決定処理と記録値の管理を実行する。【００５３】
表示部２１２１は、液晶画面などの表示装置によって構成され、ＣＰＵ２１２０から送られる信号に従って血圧値を表示する。【００５４】
メモリ（処理用）２１２２は、血圧算出パラメータ決定用の比率（後述）や血圧計の制御プログラムを格納する。【００５５】
メモリ（記録用）２１２３は、血圧値を記憶し、必要に応じて日時・利用者・測定値を関連付けて記憶する。【００５６】
操作部２１３０は、電源スイッチ２１３１、測定スイッチ２１３２、停止スイッチ２１３３、記録呼び出しスイッチ２１４１、利用者選択スイッチ２１４２から構成され、血圧計の電源ＯＮ／ＯＦＦ・測定開始などの操作入力を許容し、入力された入力信号をＣＰＵ２１２０へ送る。  
インターフェイス２１７１は、ＣＰＵ２１２０の制御に従って外部メモリ２１７２に対し血圧値を記録／読み出しを実行する。【００５７】
このように構成された電子血圧計２１００を用いた血圧測定動作について、図２のフローチャートに従い説明する。  
なお、図２は、実施例１における血圧測定動作を示すフローチャートである。【００５８】
まず、電源スイッチ２１３１（電源ＳＷ）の操作により電源がＯＮの状態になると（ステップＳ２１０１）、ＣＰＵ２１２０は、血圧計の作業用メモリの初期化処理を実行し、圧力センサ２１０３の０ｍｍｇ調整を行なう（ステップＳ２１０２）。【００５９】
初期化処理が終了すると、利用者の測定部位にカフ２１０１を巻き付け、利用者を選択し（ステップＳ２１０３）、測定スイッチ２１３２（測定ＳＷ）が押下されると（ステップＳ２１０４）、ＣＰＵ２１２０は、ポンプ２１０４によりカフ圧を所定の圧力まで加圧したあと（ステップＳ２１０５〜ステップＳ２１０６）、弁２１０５により徐々にカフ圧を減圧していく（ステップＳ２１０７）。【００６０】
ＣＰＵ２１２０は、この減圧中に得られるカフ圧に重畳した動脈の容積変化に伴う圧変化成分を抽出し、所定の演算により仮血圧値を算出する（ステップＳ２１０８）。仮血圧値を算出した後（ステップＳ２１０９）、ＣＰＵ２１２０は、弁２１０５を開放し、カフ内の空気を排気する。ＣＰＵ２１２０は、算出した仮血圧値より血圧算出パラメータを最適化し（ステップＳ２１１０）、最適化された血圧算出パラメータを用いて血圧値を算出する（ステップＳ２１１１）。ＣＰＵ２１２０は、算出した血圧値を表示部２１２１に表示するとともに（ステップＳ２１１２）、測定日時・利用者と関連づけてメモリ（記録用）２１２３に記録する（ステップＳ２１１３）。【００６１】
上述した血圧算出パラメータの最適化処理（ステップＳ２１１０）を中心にステップＳ２１０５からステップＳ２１１１までの処理について詳述する。  
メモリ（処理用）２１２２には、図３のテーブルに示すように、標準および仮血圧値ごとの血圧算出パラメータ（収縮期血圧算出パラメータ、拡張期血圧算出パラメータ）決定用の比率α、βを記録しておく。  
なお、図３は、標準および仮平均血圧値に応じて分類した血圧算出パラメータ決定用の比率（α、β）を示すテーブルである。【００６２】
図２中のステップＳ２１０８を実行するＣＰＵ２１２０は、圧脈波振幅の最大値に標準の血圧算出パラメータ決定用の比率α、β（第１、第２定数）を乗じて仮収縮期血圧算出パラメータ及び仮拡張期血圧算出パラメータを算出し、これによって仮血圧値（仮拡張期血圧、仮収縮期血圧）を算出する。ここでは、仮収縮期血圧算出パラメータ決定用の比率α（第１定数）を０．５（５０％）、仮拡張期血圧算出パラメータ決定用の比率β（第２定数）を０．７（７０％）に設定する。このようにして、仮収縮期血圧算出パラメータ及び仮拡張期血圧算出パラメータを算出すると、ＣＰＵ２１２０は、次式で仮平均血圧値を算出する。  
［数３］  
仮平均血圧値＝仮拡張期血圧＋（仮収縮期血圧−仮拡張期血圧）／３  
ステップＳ２１０９〜Ｓ２１１０を実行するＣＰＵ２１２０は、図３をもとに仮平均血圧値に該当する血圧算出パラメータ決定用の比率α、βを決定し、圧脈波振幅の最大値に前記比率α、βを乗じて得た血圧算出パラメータを、最適化された血圧算出パラメータとして決定し、ステップＳ２１１１では、最適化された血圧算出パラメータを使用して再度血圧算出を行う。【００６３】
本実施例では、仮平均血圧値を所定範囲別に複数（例えば３つ）の区分に分けており、各区分毎に収縮期血圧算出パラメータ決定用の比率α、及び拡張期血圧算出パラメータ決定用の比率βが事前に設定されている。【００６４】
前記比率αは、１００ｍｍＨｇ未満の区分が最も大きく５５％であり、その仮平均血圧値が大きくなるに従って小さくなっている。例えば、１５０ｍｍＨｇ以上の区分においては、最も小さい４５％になっている。【００６５】
一方、前記比率βは、逆に１００ｍｍＨｇ未満の区分の区分が最も小さく６０％であり、その仮平均血圧値が大きくなるに従って大きくなっている。例えば、１５０ｍｍＨｇ以上の区分においては、最も大きい８０％になっている。【００６６】
上述では、仮平均血圧値に基づいて前記比率α、βを分類したが、仮収縮期血圧値や仮拡張期血圧値のいずれか、または、２つ以上の複数の仮血圧値に基づいて分類してもよい。  
さらに、脈波振幅が最大値となるカフ圧で分類してもよい。【００６７】
さらにまた、仮収縮期血圧、仮拡張期血圧、仮平均血圧、脈波振幅最大値となるカフ圧のいずれかを用いて、次式で血圧算出パラメータを算出してもよい。  
［数４］  
収縮期血圧算出パラメータ  Ｐ＿ＳＢＰ  ＝  Ψ×Ｐ２＋ω×Ｐ＋ε  
拡張期血圧算出パラメータ  Ｐ＿ＤＢＰ  ＝  δ×Ｐ２＋π×Ｐ＋ρ  
ここで、Ｐは、仮収縮期血圧、仮拡張期血圧、仮平均血圧、脈波振幅最大値となるカフ圧のいずれかを示し、Ψ，ω，ε，δ，π，ρは、カフコンプライアンスより決定される所定の係数を示す。【００６８】
続いて、血圧測定動作の別の例として前記仮決定した血圧値を、標準の血圧算出パラメータにより加圧中に仮決定することを特徴とする実施例について、図４のフローチャートに従い説明する。  
なお、図４は、実施例１における血圧測定動作の一例を示すフローチャートである。また、以下に述べる各実施例では、主にＣＰＵ２１２０における演算が異なるものの、電子血圧計２１００のハードウェア構成については上述した実施例と略同様であるため、各部の構成については、図１の符号を用いて説明する。【００６９】
まず、血圧計の電源スイッチ２１３１が押下されると（ステップＳ２１２１）、ＣＰＵ２１２０は、血圧計の作業用メモリを初期化し、圧力センサ２１０３の０ｍｍＨｇ調整を行う（ステップＳ２１２２）。  
次に、血圧を測定する利用者が選択され（ステップＳ２１２３）、測定スイッチ２１３２が押下されると（ステップＳ２１２４）、ＣＰＵ２１２０は、ポンプ２１０４によりカフ圧を徐々に加圧していく（ステップＳ２１２５）。ＣＰＵ２１２０は、加圧中に得られるカフ圧に重畳した動脈の容積変化に伴う圧変化成分を抽出し、所定の演算により仮血圧値を算出する（ステップＳ２１２６）。所定の圧力まで加圧したあと（ステップＳ２１２７）、ＣＰＵ２１２０は、加圧中に算出された仮血圧値により血圧算出パラメータを最適化する（ステップＳ２１２８）。【００７０】
次に、ＣＰＵ２１２０は、弁２１０５により徐々にカフ圧を減圧していく（ステップＳ２１２９）。ＣＰＵ２１２０は、減圧中に得られるカフ圧に重畳した動脈の容積変化に伴う圧変化成分を抽出し、前記最適化された血圧算出パラメータを用いて所定の演算により血圧値を算出する（ステップＳ２１３０）。血圧値を算出した後は（ステップＳ２１３１）、ＣＰＵ２１２０は、弁２１０５を開放しカフ内の空気を排気する。ＣＰＵ２１２０は、算出した血圧値は表示部２１２１に表示するとともに（ステップＳ２１３２）、測定日時・利用者と関連づけてメモリ（記録用）２１２３に記録する（ステップＳ２１３３）。  
ここでの血圧算出パラメータの最適化処理は、前述と同様の処理であるため省略する。【００７１】
続いて、血圧測定動作の別の例として、前記仮決定した血圧値が、メモリ（記録用）２１２３に記録されている血圧値であることを特徴とする実施例について、図５のフローチャートに従い説明する。  
なお、図５は、実施例１における血圧測定動作の一例を示すフローチャートである。【００７２】
血圧計の電源スイッチ２１３１が押下されると（ステップＳ２１４１）、ＣＰＵ２１２０は、血圧計の作業用メモリを初期化し、圧力センサ２１０３の０ｍｍＨｇ調整を行う（ステップＳ２１４２）。【００７３】
次に、血圧を測定する利用者が選択され（ステップＳ２１４３）、測定スイッチ２１３２が押下されると（ステップＳ２１４４）、ＣＰＵ２１２０は、選択された利用者の直近の記録値をメモリ（記録用）２１２３から読み出し（ステップＳ２１４５）、その記録値に基づいて血圧算出パラメータを最適化する（ステップＳ２１４６）。  
次に、ＣＰＵ２１２０は、ポンプ２１０４によりカフ圧を徐々に加圧していく（ステップＳ２１４７）。所定の圧力まで加圧した後（ステップＳ２１４８）、ＣＰＵ２１２０は、弁２１０５により徐々にカフ圧を減圧していく（ステップＳ２１４９）。【００７４】
ＣＰＵ２１２０は、減圧中に得られるカフ圧に重畳した動脈の容積変化に伴う圧変化成分を抽出し、前記最適化された血圧算出パラメータを用いて所定の演算により血圧値を算出する（ステップＳ２１５０）。血圧値を算出した後は（ステップＳ２１５１：ＹＥＳ）、ＣＰＵ２１２０は、弁２１０５を開放しカフ内の空気を排気する。ＣＰＵ２１２０は、算出した血圧値は表示部２１２１に表示するとともに（ステップＳ２１５２）、測定日時・利用者と関連づけてメモリ（記録用）２１２３に記録する（ステップＳ２１５３）。【００７５】
ここでの血圧算出パラメータの最適化処理は、前述と同様の処理であるため省略する。【００７６】
また、血圧算出パラメータの最適化に使用する記録値は直近の２個以上の記録値の平均値や代表値であってもよい。  
さらに、記録値は外部の記録媒体（ＵＳＢメモリなどの外部メモリ２１７２）やパソコン、インターネット等を介したサーバに記録されている値を使用してもよい。【００７７】
以上説明したように、血圧値を測定する生体情報取得手段と、血圧値を記録する記録手段（メモリ２１２３）と、血圧算出パラメータ決定用の比率や血圧計の制御プログラムを格納する手段（メモリ２１２２）と、血圧測定などの操作を行う操作手段（操作部２１３０）と、前記生体情報取得手段により取得する血圧値を、血圧測定時における利用者の状態又は／及び前記カフ２１０１の状態に関連する測定状態関連情報に基づいて補正する補正手段（ＣＰＵ２１２０）と、該補正後の補正後情報（血圧値）を出力する出力手段（表示部２１２１）とを備え、前記生体情報取得手段として、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２１００であって、血圧算出手段（ＣＰＵ２１２０）は、血圧測定時における動脈の容積変化を示す圧脈波振幅の最大値（変化）に対し、予め設定した第１定数としての比率α、第２定数としての比率βを乗算する所定の演算に基づいて血圧算出パラメータを算出する構成であり、前記利用者の測定状態関連情報として、仮決定した血圧値の情報を取得する情報取得手段（ステップＳ２１０８，Ｓ２１２６，Ｓ２１４５を実行するＣＰＵ２１２０）を備え、前記補正手段（ステップＳ２１１０，Ｓ２１２８，Ｓ２１４６を実行するＣＰＵ２１２０）は、前記仮決定した血圧値に基づいて比率α、βを補正することにより、血圧算出パラメータを補正する構成である。【００７８】
前記構成により、利用者の血圧値ごとに最適な血圧算出パラメータを設定し、測定誤差を低減できるという効果が得られる。
【実施例２】
【００７９】
次に、バックグラウンド脈波の成分に関連するオフセット補正値（第３、第４定数）を血圧測定時における利用者の状態又は／及び前記カフ２１０１の状態に関連する測定状態関連情報により補正し、測定誤差を低減することのできる実施例２について、図６のフローチャートに従い説明する。  
なお、図６は、実施例２における血圧測定動作の一例を示すフローチャートである。【００８０】
まず、血圧計の電源スイッチ２１３１が押下されると（ステップＳ２１６１）、ＣＰＵ２１２０は、血圧計の作業用メモリを初期化し、圧力センサ２１０３の０ｍｍＨｇ調整を行う（ステップＳ２１６２）。  
次に、血圧を測定する利用者が選択され（ステップＳ２１６３）、測定スイッチ２１３２が押下されると（ステップＳ２１６４）、ＣＰＵ２１２０は、ポンプ２１０４によりカフ圧を徐々に加圧したあと（ステップＳ２１６５〜ステップＳ２１６６）、弁２１０５により徐々にカフ圧を減圧していく（ステップＳ２１６７）。【００８１】
ＣＰＵ２１２０は、この減圧中に得られるカフ圧に重畳した動脈の容積変化に伴う圧変化成分を抽出し、下記［数５］に示す所定の演算により、仮収縮期血圧値、仮拡張期血圧値を算出する（ステップＳ２１６８）。【００８２】
［数５］  
Ｔ＿ＡｍｐＳｙｓ＝圧脈波振幅最大値×α＋ζｔｓｙｓ  
Ｔ＿ＡｍｐＤｉａ＝圧脈波振幅最大値×β＋ηｔｄｉａ  
ここで、前記［数５］におけるＴ＿ＡｍｐＳｙｓは、仮収縮期血圧算出パラメータ、Ｔ＿ＡｍｐＤｉａは、仮拡張期血圧算出パラメータである。また、ζｔｓｙｓおよびηｔｄｉａは、カフ２１０１内の圧力を血圧値測定範囲外の所定圧に加圧した時に発生するバックグラウンド脈波の成分に関連するオフセット補正値（第３、第４定数）であり、あらかじめ実験により決定された値である。【００８３】
ＣＰＵ２１２０は、ステップＳ２１６８で算出したＴ＿ＡｍｐＳｙｓが図９に示す包絡線と交差する点のカフ圧を仮収縮期血圧値として決定し、ステップＳ２１６８で算出したＴ＿ＡｍｐＤｉａが図９に示す包絡線と交差する点のカフ圧を仮拡張期血圧値として決定する。【００８４】
次に、ＣＰＵ２１２０は、ステップＳ２１６８で決定した仮収縮期血圧値、仮拡張期血圧値より、前記［数５］におけるバックグラウンド脈波の成分に関連するオフセット補正値ζ（第３定数）、オフセット補正値η（第４定数）を補正する。図１３に示すように、カフ圧が高くなるにつれバックグラウンド脈波の成分は小さくなるため、下記［数６］に示す所定の演算により、オフセット補正値を補正する（ステップＳ２１６９）。【００８５】
［数６］  
ζ＝ζｔｓｙｓ＋仮収縮期血圧値×θ
η＝ηｔｄｉａ＋仮拡張期血圧値×ι
ここで、ここで、前記［数６］におけるθおよびιは、あらかじめ実験により決定された値である。【００８６】
そして、ＣＰＵ２１２０は、ステップＳ２１６９で補正したζ、ηを前記［数５］のζｔｓｙｓ、ηｔｄｉａに置き換えた下記［数７］に示す所定の演算により、収縮期血圧算出パラメータ、および拡張期血圧算出パラメータを算出し、最適化する（ステップＳ２１７０）。【００８７】
［数７］  
収縮期血圧算出パラメータ＝圧脈波振幅最大値×α＋ζ  
拡張期血圧算出パラメータ＝圧脈波振幅最大値×β＋η  【００８８】
ここで、ＣＰＵ２１２０は、仮収縮期血圧値、仮拡張期血圧値の場合と同様、ステップＳ２１７０で算出した収縮期血圧算出パラメータ、拡張期血圧算出パラメータが前記包絡線と交差する点のカフ圧を、収縮期血圧値、拡張期血圧値として決定する（ステップＳ２１７１）。【００８９】
ＣＰＵ２１２０は、算出した血圧値を表示部２１２１に表示するとともに（ステップＳ２１７２）、測定日時・利用者と関連づけてメモリ（記録用）２１２３に記録する（ステップＳ２１７３）。【００９０】
以上説明したように、血圧値を測定する生体情報取得手段と、血圧値を記録する記録手段（メモリ２１２３）と、血圧計の制御プログラムを格納する手段（メモリ２１２２）と、血圧測定などの操作を行う操作手段（操作部２１３０）と、カフ２１０１内の圧力を血圧値測定範囲外の所定圧に加圧した時に発生するバックグラウンド脈波の成分に基づいて血圧値を補正する補正手段（ＣＰＵ２１２０）と、該補正後の補正後情報（血圧値）を出力する出力手段（表示部２１２１）とを備え、前記生体情報取得手段として、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２１００であって、血圧算出手段（ＣＰＵ２１２０）は、血圧測定時における動脈の容積変化を示す圧脈波振幅の最大値（変化）に対し、予め設定した第１定数としての比率αを乗算し、かつ前記バックグラウンド脈波の成分に関連する第３定数としてのオフセット補正値ζを加算する所定の演算に基づいて収縮期血圧算出パラメータを算出するとともに、圧脈波振幅の最大値（変化）に対し予め設定した第２定数としての比率βを乗算し、かつ前記バックグラウンド脈波の成分に関連する第４定数としてのオフセット補正値ηを加算する所定の演算に基づいて拡張期血圧算出パラメータを算出する構成であり、血圧測定時における利用者の状態に関連する測定状態関連情報として仮収縮期血圧値、仮拡張期血圧値の情報を取得する情報取得手段（ステップＳ２１６８を実行するＣＰＵ２１２０）を備え、前記補正手段（ステップＳ２１６９を実行するＣＰＵ２１２０）は、前記仮収縮期血圧値、仮拡張期血圧値の情報に基づいて血圧値のオフセット補正値ζ、ηを補正することにより、血圧算出パラメータを補正する構成である。【００９１】
前記構成により、バックグラウンド脈波の成分に関連するオフセット補正値ζ、ηを血圧測定時における利用者の状態（本実施例では、利用者の血圧値）ごとに補正することができ、これによりバックグラウンド脈波の成分に起因する誤差の影響を抑制して正確な血圧値を算出できるという効果が得られる。【００９２】
上述では、仮収縮期血圧値、仮拡張期血圧値に対し所定の比率を乗算することでオフセット補正値（第３、第４定数）を決定しているが、あらかじめ電子血圧計２１００のメモリ２１２３内に仮収縮期血圧値、仮拡張期血圧値に対応するオフセット補正値決定用（第３、第４定数決定用）テーブルを記憶しておき、そのテーブルよりオフセット補正値（第３、第４定数）を読み出しても良い。【００９３】
続いて、血圧測定動作の別の例としてカフ圧の最大値に基づいて前記オフセット補正値を補正する実施例について説明する。【００９４】
一般的に、オシロメトリック法の血圧値の決定方法としては以下に述べるものがある。  
まず、カフ圧の減圧中に血圧値を決定する方法（以下、減圧測定方式）があり、この減圧測定方式では、カフ圧を所定より高い圧まで加圧後、徐々に減圧していく時に圧脈波振幅が急増する点を収縮期血圧値、さらにカフ圧を徐々に減圧していき、圧脈波が急減する点を拡張期血圧値として決定する。  
これに対し、カフ２１０１の加圧中の血圧値を決定する方法（以後、加圧測定方式）があり、この加圧測定方式では、カフ圧を徐々に加圧していき、その過程で圧脈波振幅が急増する点を拡張期血圧値、さらにカフ圧を徐々に加圧していき、圧脈波が急減する点を収縮期血圧値として決定する。【００９５】
ここで、減圧測定方式の場合は、カフ圧を測定範囲より所定の圧力（たとえば３０ｍｍＨｇ）高い圧力まで加圧するが、本実施例では、その圧力値をカフ圧最大値Ｐｃｍａｘと定義する。一方、加圧測定方式の血圧測定装置においては、カフ圧を徐々に加圧しながら収縮期血圧値を決定するために必要な圧脈波振幅情報が検出されるまで加圧する。収縮期血圧値決定後、加圧を停止し、弁２１０５によりカフ圧を急速に減圧するが、本実施例ではこの減圧開始直前のカフ圧をカフ圧最大値Ｐｃｍａｘと定義する。【００９６】
本実施例では、このＰｃｍａｘに基づいて、ＣＰＵ２１２０が、下記［数８］に示す所定の演算により、バックグラウンド脈波の成分を示すオフセット補正値ζ、ηを補正する。本実施例では、下記［数８］に示すように、前記［数５］に示したオフセット補正値ζｔｓｙｓ、ηｔｄｉａを用いてオフセット補正値ζ、ηを補正している。【００９７】
［数８］  
ζ＝ζｔｓｙｓ＋Ｐｃｍａｘ×κ  
η＝ηｔｄｉａ＋Ｐｃｍａｘ×λ  
ここで、前記［数８］におけるκおよびλは、あらかじめ実験により決定された値である。本実施例では、前記［数８］で補正したオフセット補正値ζ、ηを、図６に示した実施例と同様前記［数７］に適用して、収縮期血圧算出パラメータ、および拡張期血圧算出パラメータを算出し、最適化することによって血圧値を決定する。【００９８】
なお、本実施例では、オフセット補正値とＰｃｍａｘとを対応づけたオフセット補正値決定用（第３、第４定数決定用）テーブルをあらかじめ電子血圧計２１００のメモリ２１２３内に記録しておき、そのテーブルよりオフセット補正値（第３、第４定数）を読み出しても良い。【００９９】
このように、カフ圧の最大値Ｐｃｍａｘの情報に基づいて前記オフセット補正値ζ、ηを補正することで、カフ圧の最大値Ｐｃｍａｘの差に起因する誤差の影響を抑制して正確な血圧値を算出できる。【０１００】
次に、血圧測定動作の別の例として圧脈波振幅の最大値に基づいて前記オフセット補正値を補正する実施例について説明する。  
本実施例では、図９に示す包絡線において、圧脈波振幅が最大（ＡｍｐＭａｘ）となる点のカフ圧をＰｃａｍｐと定義する。そして、このＰｃａｍｐに基づいて、ＣＰＵ２１２０は、バックグラウンド脈波の成分を示すオフセット補正値ζ、ηを下記［数９］に示す所定の演算により、補正する。【０１０１】
［数９］  
ζ＝ζｔｓｙｓ＋Ｐｃａｍｐ×μ  
η＝ηｔｄｉａ＋Ｐｃａｍｐ×ν  
ここで、前記［数９］におけるμおよびνは、あらかじめ実験により決定された値である。ここでの血圧算出パラメータの最適化処理は、前述と同様の処理であるため省略する。【０１０２】
なお、本実施例では、オフセット補正値とＰｃａｍｐとを対応づけたオフセット補正値決定用（第３、第４定数決定用）テーブルをあらかじめ電子血圧計２１００のメモリ２１２３内に記録しておき、そのテーブルよりオフセット補正値を読み出しても良い。【０１０３】
このように、圧脈波振幅が最大（ＡｍｐＭａｘ）となる点のカフ圧をＰｃａｍｐの情報に基づいて前記オフセット補正値ζ、ηを補正することで、圧脈波振幅の最大値の差に起因する誤差の影響を抑制して正確な血圧値を算出できる。【０１０４】
続いて、血圧測定動作の別の例としてカフ２１０１の巻き付け強度に基づいてオフセット補正値を補正する実施例について説明する。  
電子血圧計２１００の場合、カフ２１０１が腕Ａ（図１２参照）などの測定部位に隙間なく適切に巻かれている状態と比較すると、測定部位とカフ２１０１との間に隙間がある状態では、測定部位に同じ圧力を加えるためにカフ２１０１内の空気袋に多くの空気を流入させる必要がある。【０１０５】
前記のように、圧脈波振幅は動脈Ｂ（図１２参照）の容積変化に伴って発生するカフ２１０１の容積変化を圧力変化として検出しているため、その圧脈波振幅は同じ動脈の容積変化であったとしても、カフ２１０１内の空気容量によって変化し、その空気容量が大きいほど圧脈波振幅は小さくなる。したがってカフ２１０１の巻き付け強度によってもバックグラウンド脈波の成分が変化することになる。【０１０６】
そこで、前記［数７］のオフセット補正値をカフ２１０１の巻き付け強度に基づいて補正する必要がある。本実施例では、ＣＰＵ２１２０が、カフ２１０１の巻き方による補正を前記［数７］に加えた下記［数１０］に示す所定の演算により、収縮期血圧算出パラメータ、拡張期血圧算出パラメータを算出して、これを最適化している。すなわち、本実施例では、所定の比率ξをオフセット補正値ζに乗じてこれを補正するとともに、所定の比率σをオフセット補正値ηに乗じてこれを補正している。【０１０７】
［数１０］  
収縮期血圧算出パラメータ＝圧脈波振幅最大値×α＋ζ×ξ  
拡張期血圧算出パラメータ＝圧脈波振幅最大値×β＋η×σ  
ここで、前記［数１０］におけるξおよびσは、あらかじめ実験により決定された値である。これらの値はカフ２１０１の巻き付け強度と対応づけたオフセット補正値決定用（第３、第４定数決定用）テーブルをあらかじめ電子血圧計２１００のメモリ２１２３内に記録しておき、そのテーブルより読み出す方法で決定すれば良い。【０１０８】
また、カフ２１０１の巻き付け強度は、特開昭６２−８４７３８号公報、特公平５−６２５３８号公報、および特許第４１３４２３４号公報に記載されているような公知の技術を用いて、カフ２１０１を加圧する際のカフ圧変化の割合によって検出すれば良い。【０１０９】
このように、カフ２１０１の巻き付け強度の情報に基づいて前記オフセット補正値ζ、ηを補正することで、前記巻き付け強度の違いによって生じるカフ２１０１内の空気容量の差に起因する誤差の影響を抑制して正確な血圧値を算出できる。【０１１０】
続いて、血圧測定動作の別の例としてカフ２１０１の仕様（サイズ）に基づいて前記オフセット補正値を補正する実施例について説明する。  
電子血圧計２１００の場合、測定部位の周囲長が長くなればなるほど、動脈Ｂへの圧伝達の減衰が大きくなる。したがって、正確な血圧測定を行うには、測定部位の周囲長により適切なサイズのカフ２１０１を選択する必要がある。すなわち、測定部位の周囲長が長いほどカフ２１０１の幅（測定部位の周方向に直交する方向）や長さ（測定部位の周方向）を長くする必要がある。測定部位の周囲長に適したカフの幅や長さはＷＨＯ（世界保健機構）などで勧告・推奨されている。【０１１１】
測定部位の周囲長が長くなればなるほどカフ２１０１のサイズ（幅・長さ）は長くなるため、それに伴いカフ２１０１内の空気袋の大きさも大きくなる。したがって、前述のとおりカフ２１０１のサイズが大きくなると、検出される圧脈波振幅も小さくなるため、バックグランド脈波の成分も小さくなる（図７参照）。【０１１２】
そこで、前記［数７］のオフセット補正値をカフ２１０１のサイズで補正する必要がある。本実施例では、ＣＰＵ２１２０が、カフ２１０１のサイズによる補正を前記［数７］に加えた下記［数１１］に示す所定の演算により、収縮期血圧算出パラメータ、拡張期血圧算出パラメータを算出して、これを最適化している。すなわち、本実施例では、所定の比率τをオフセット補正値ζに乗じてこれを補正するとともに、所定の比率υをオフセット補正値ηに乗じてこれを補正している。【０１１３】
［数１１］  
収縮期血圧算出パラメータ＝圧脈波振幅最大値×α＋ζ×τ  
拡張期血圧算出パラメータ＝圧脈波振幅最大値×β＋η×υ  
ここで、前記［数１１］におけるτおよびυは、あらかじめ実験により決定された値である。これらの値はカフ２１０１のサイズと対応づけたオフセット補正値決定用（第３、第４定数決定用）テーブルをあらかじめ電子血圧計２１００のメモリ２１２３内に記録しておき、そのテーブルより読み出す方法で決定すれば良い。【０１１４】
このように、カフ２１０１のサイズの情報に基づいて前記オフセット補正値ζ、ηを補正することで、カフ２１０１の空気袋の大きさの違いに起因する誤差の影響を抑制して正確な血圧値を算出できる。【０１１５】
また、カフ２１０１のサイズは、操作部２１３０などの入力部にスイッチを設けて、該スイッチにより測定前に入力するようにしても良いし、電子血圧計２１００本体のカフ２１０１との接続部にカフ２１０１のサイズを検出するセンサを設けて自動的に検出するようにしても良い。【０１１６】
ここで、操作部２１３０などの入力部にスイッチを設けて、カフ２１０１のサイズなどの各種情報を測定前に入力可能にすることで、血圧値の算出に必要な各種情報を予め容易に取得することができ、血圧測定に要する時間の短縮化を図ることができる。【０１１７】
また、カフ２１０１のサイズが大きくなるのに依存して、所定のカフ圧に達するまでにカフ２１０１に流入させる空気容量が大きくなるため、その経過時間も長くなる。したがって１回の血圧測定におけるカフ圧の変化に基づいて所定のカフ圧に達するまでの時間を測定し、この時間に基づいてカフ２１０１のサイズを検出するようにしてもよい。【０１１８】
これにより、カフ２１０１のサイズなど、血圧値の算出に必要な各種情報を入力するための入力部やセンサなどを別途設けなくても、前記各種情報を簡素な構成によって取得することができる。【０１１９】
また、上述では、カフ２１０１の仕様に関連する情報のうち、カフ２１０１のサイズに関連する情報に基づいてオフセット補正値ζ、ηを補正する場合を説明したが、カフ２１０１の仕様に関連する、構造・材質といった種類に関連する情報に基づいて前記補正を行ってもよい。たとえば、カフ２１０１内の空気袋の構造が風船のような１重構造であるカフと、特許３７４７９１７号公報に記載されているように空気袋の側面にマチ構造を設けたカフとでは、カフ２１０１が所定の内圧に達するために空気袋へ流入させる空気の容量は後者の方が大きくなる。また、例えば、カフ２１０１内の空気袋の材質が柔らかい材質ほど、カフ２１０１が所定の内圧に達するために空気袋へ流入させる空気の容量が大きくなる。【０１２０】
これに対し、カフ２１０１の種類に関連する情報に基づいて前記オフセット補正値ζ、ηを補正することで、カフ２１０１の種類別の空気容量の差に起因する誤差の影響を抑制して正確な血圧値を算出できる。【０１２１】
また、前述のとおり、測定部位の周囲長が長いほど測定に使用するカフ２１０１のサイズは大きくなる。したがって、図８に示すようにカフ２１０１のサイズに依存してバックグランド脈波の成分が変化することに基づき、前記［数１１］のオフセット補正値（第３、第４定数）を測定部位の周囲長によって補正するようにしてもよい。これにより、カフ２１０１のサイズの違いに起因する誤差の影響を抑制して正確な血圧値を算出できる。【０１２２】
また、測定部位の質が柔らかいほど、カフ２１０１内の空気袋の膨らみが大きくなる。そして、この場合、測定部位とカフ２１０１との間に隙間がある状態と同じような状態になり、圧脈派振幅は小さくなる。したがって、測定部位の質によって補正を行うようにしてもよい。これにより、カフ２１０１の空気袋の膨らみの差に起因する誤差の影響を抑制して正確な血圧値を算出できる。【０１２３】
この場合、測定部位の周囲長または質は、操作部２１３０などの入力部から入力するようにしてもよいし、１回の血圧測定におけるカフ圧の変化に基づいて所定のカフ圧に達するまでの時間を測定し、この時間に基づいて検出してもよい。なお、測定部位の質の入力は、例えばＢＭＩ（Ｂｏｄｙ  Ｍａｓｓ  Ｉｎｄｅｘ）、体脂肪率などで代替できる。例えば、ＢＭＩが大きい場合や、体脂肪率が大きい場合には、測定部位にも脂肪が多く付いていると判断し、該測定部位の質が柔らかいものとみなして補正をすることも可能である。【０１２４】
これにより、測定部位に関連する各種情報を入力するための入力部やセンサなどを別途設けなくても、前記測定部位に関連する情報を簡素な構成によって取得することができる。【０１２５】
続いて、血圧測定動作の別の例として血圧測定開始前に入力された利用者情報
に基づいて前記オフセット補正値を補正する実施例について説明する。  
電子血圧計２１００の場合、図９に示す包絡線の形状は動脈の力学的特性に依存して決定される。図１４は、動脈の力学的特性例を示すグラフであり、図１４に示すような動脈の力学的特性を決定する要因の一つに動脈弾性がある。動脈の弾性は年齢や疾病（特に動脈硬化）に依存し、高齢化や疾病の進行に伴い動脈弾性は硬くなる。動脈弾性が硬くなるとカフ２１０１で圧迫してもなかなか動脈が圧閉されないため、動脈弾性の軟らかい人と比べるとカフ圧が高くなるまでバックグランド脈波が存在することになる。【０１２６】
そこで、あらかじめ年齢や疾病情報を入力し、それにより前記［数７］のオフセット補正値ζ、ηを年齢や疾病情報で補正する。本実施例では、操作部２１３０などの入力部で年齢や疾病情報の入力を許容するとともに、ＣＰＵ２１２０が、入力した年齢や疾病情報に基づく補正を前記［数７］に加えた下記［数１２］に示す所定の演算により、収縮期血圧算出パラメータ、拡張期血圧算出パラメータを算出して、これを最適化している。すわなち、本実施例では、所定の比率φをオフセット補正値ζに乗じてこれを補正するとともに、所定の比率χをオフセット補正値ηに乗じてこれを補正している。【０１２７】
［数１２］  
収縮期血圧算出パラメータ＝圧脈波振幅最大値×α＋ζ×φ  
拡張期血圧算出パラメータ＝圧脈波振幅最大値×β＋η×χ  
ここで、前記［数１２］におけるφおよびχは、あらかじめ実験により決定された値である。これらの値は年齢や疾病情報と対応づけたオフセット補正値決定用テーブルをあらかじめ電子血圧計２１００のメモリ２１２３内に記録しておき、そのテーブルより読み出す方法で決定すれば良い。【０１２８】
また、年齢や疾病情報は、測定開始時に操作部２１３０より入力するようにすればよい。また、あらかじめ使用者と年齢または疾病情報を関連づけてメモリ２１２３内に記録しておき、測定開始時に操作部２１３０より使用者を選択することで、メモリ２１２３より読み出すようにしてもよい。また、外部メモリ２１７２などの媒体に年齢や疾病情報を記録しておき、測定開始時にその情報を読み出すようにしてもよい。【０１２９】
また、本実施例の場合、１回の血圧測定におけるカフ圧の変化に基づいて所定のカフ圧に達するまでの時間を測定し、この時間に基づいて利用者の動脈Ｂの弾性を検出し、その検出結果に基づいて疾病情報（この場合、動脈硬化の情報）を取得するようにしてもよい。【０１３０】
このように、利用者の年齢や疾病情報に基づいて前記オフセット補正値ζ、ηを補正することで、動脈Ｂの弾性の差に起因する誤差の影響を抑制して正確な血圧値を算出できる。【０１３１】
この発明は、上述の実施形態の構成のみに限定されるものではなく、多くの実施の形態を得ることができる。【０１３２】
例えば、電子血圧計２１００は、専用のサーバから適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。【０１３３】
また、電子血圧計２１００の機能拡張は、前記サーバを用いず、利用者が所有するパーソナルコンピュータ等のユーザ端末から実行する構成にしてもよい。この場合、ＣＤ−ＲＯＭなどの記録媒体からパラメータ、閾値、アルゴリズムなどをダウンロードする構成にしてもよい。【０１３４】
また、電子血圧計２１００を、体組成計、歩数計、電子体温計といった他の生体情報取得装置と直接無線または有線で通信可能に接続してもよい。この場合も、相互にデータを送受信して個々の精度を向上させることができる。
【産業上の利用可能性】
【０１３５】
この発明は、カフを用いるオシロメトリック方式を採用した電子血圧計に利用することができる。
【符号の説明】
【０１３６】
２１００…電子血圧計、２１０１…カフ、２１０３…圧力センサ、２１０４…ポンプ、２１０５…弁、２１２０…ＣＰＵ、２１２１…表示部、２１２２…メモリ（処理用）、２１２３…メモリ（記録用）、２１３０…操作部
【図１】
2010073688.tif 000003
【図２】
2010073688.tif 000004
【図３】
2010073688.tif 000005
【図４】
2010073688.tif 000006
【図５】
2010073688.tif 000007
【図６】
2010073688.tif 000008
【図７】
2010073688.tif 000009
【図８】
2010073688.tif 000010
【図９】
2010073688.tif 000011
【図１０】
2010073688.tif 000012
【図１１】
2010073688.tif 000013
【図１２】
2010073688.tif 000014
【図１３】
2010073688.tif 000015
【図１４】
2010073688.tif 000016
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、
前記血圧算出手段は、血圧測定時における動脈の容積変化を示す圧脈波振幅の最大値に対し定数を乗算する所定の演算に基づいて血圧算出パラメータを算出する構成であり、
血圧測定時における利用者の状態又は／及び前記カフの状態に関連する測定状態関連情報を別途取得する情報取得手段と、
該情報取得手段により前記測定状態関連情報を取得した場合、前記定数を前記測定状態関連情報に基づいて補正することにより、血圧算出パラメータを補正する補正手段とを備え、
前記情報取得手段は、利用者の状態に関連する前記測定状態関連情報として、仮決定した血圧値の情報を取得する構成であり、
前記補正手段は、前記仮決定した血圧値に基づいて前記第１、第２定数を補正する構成である
電子血圧計。
【請求項２】
（削除）
【請求項３】
前記血圧算出手段は、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するとともに、
圧脈波振幅の最大値に第２定数を乗算し、かつ前記バックグラウンド脈波の成分に関連する第４定数を加算する所定の演算に基づいて収縮期血圧算出パラメータを算出する構成であり、
前記補正手段は、前記測定状態関連情報に基づいて前記第３、第４定数を補正する構成である
請求項１記載の電子血圧計。
【請求項４】
前記情報取得手段は、利用者の状態に関連する前記測定状態関連情報として、仮決定した血圧値の情報を取得する構成であり、
前記補正手段は、前記仮決定した血圧値に基づいて前記第１、第２定数または前記第３、第４定数を補正する構成である
請求項１または３記載の電子血圧計。
【請求項５】
前記情報取得手段は、前記測定状態関連情報としてカフ圧の最大値の情報を取得する構成であり、
前記補正手段は、前記カフ圧の最大値に基づいて前記第１、第２定数または前記第３、第４定数を補正する構成である
請求項１または３記載の電子血圧計。
【請求項６】
前記情報取得手段は、利用者の状態に関連する前記測定状態関連情報として、圧脈波振幅の最大値の情報を取得する構成であり、
前記補正手段は、前記圧脈波振幅の最大値に基づいて前記第１、第２定数または前記第３、第４定数を補正する構成である
請求項１または３記載の電子血圧計。
【請求項７】
前記情報取得手段は、前記測定状態関連情報として前記カフの巻付け強度の情報を取得する構成であり、
前記補正手段は、前記カフの巻付け強度の情報に基づいて前記第１、第２定数または前記第３、第４定数を補正する構成である
請求項１または３記載の電子血圧計。
【請求項８】
前記情報取得手段は、前記測定状態関連情報として前記カフのサイズ又は／及び種類に関連するカフ仕様情報を取得する構成であり、
前記補正手段は、前記カフ仕様情報に基づいて前記第１、第２定数または前記第３、第４定数を補正する構成である
請求項１または３記載の電子血圧計。
【請求項９】
前記情報取得手段は、前記測定状態関連情報として利用者の測定部位に関連する情報を取得する構成であり、
前記補正手段は、利用者の測定部位に関連する情報に基づいて前記第１、第２定数または前記第３、第４定数を補正する構成である
請求項１または３記載の電子血圧計。
【請求項１０】
前記情報取得手段は、前記測定状態関連情報として利用者の疾病情報を取得する構成であり、
前記補正手段は、利用者の疾病情報に基づいて前記第１、第２定数または前記第３、第４定数を補正する構成である
請求項１または３記載の電子血圧計。
【請求項１１】
前記情報取得手段は、前記測定状態関連情報として利用者の年齢情報を取得する構成であり、
前記補正手段は、利用者の年齢情報に基づいて前記第１、第２定数または前記第３、第４定数を補正する構成である
請求項１または３記載の電子血圧計。
【請求項１２】
前記情報取得手段は、前記のカフの内圧の変化の検出に基づいて前記測定状態関連情報を取得する構成である
請求項１または３記載の電子血圧計。
【請求項１３】
利用者による前記測定状態関連情報の入力を許容する入力手段を備え、
前記情報取得手段は、前記血圧測定開始前に入力された前記測定状態関連情報を取得する構成である
請求項１または３記載の電子血圧計。
【請求項１４】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
前記血圧算出手段において、血圧測定時における動脈の容積変化を示す圧脈波振幅の最大値に対し、予め設定した定数を用いて所定の演算を実行することにより血圧算出パラメータを算出するステップを有するとともに、
血圧測定時における利用者の状態又は／及び前記カフの状態に関連する測定状態関連情報を情報取得手段により別途取得し、
前記測定状態関連情報を前記情報取得手段により取得した場合、補正手段において前記定数を前記測定状態関連情報に基づいて補正することにより、前記血圧算出パラメータを補正するステップを有し、
前記血圧算出手段により血圧算出パラメータを算出するステップは、圧脈波振幅の最大値に対し前記定数を乗算する所定の演算に基づいて血圧算出パラメータを算出し、
前記補正手段により補正するステップは、前記利用者の状態に関連する測定状態関連情報として、仮決定した血圧値の情報を情報取得手段により取得し、
前記仮決定した血圧値に基づいて前記定数を補正する
血圧測定方法。
【請求項１５】
（削除）
【請求項１６】
前記血圧算出手段により血圧算出パラメータを算出するステップは、圧脈波振幅の最大値に対し第１定数を乗算し、かつ前記バックグラウンド脈波の成分に関連する第３定数を加算する所定の演算に基づいて収縮期血圧算出パラメータを算出するとともに、
圧脈波振幅の最大値に対し第２定数を乗算し、かつ前記バックグラウンド脈波の成分に関連する第４定数を加算する所定の演算に基づいて拡張期血圧算出パラメータを算出し、
前記補正手段により補正するステップは、前記測定状態関連情報に基づいて前記第３、第４定数を補正する
請求項１４記載の血圧測定方法。
【手続補正２】
【補正対象書類名】明細書
【補正対象項目名】０００４
【補正方法】変更
【補正の内容】
【０００４】
［００１３］
前記［数２］は、バックグラウンド脈波が利用者の属性（腕Ａの周囲長・血圧）やカフ２１０１のサイズ、カフ圧など、血圧測定時における利用者の状態又は／及びカフ２１０１の状態に依存せず一定であるとの前提に基づいている。
［００１４］
しかしながら、バックグラウンド脈波は血圧測定時における前記各種状態によって変化することが判明してきた。例えば、カフ圧を上昇していくと、図１２に示すように動脈Ｂが圧閉される幅が広くなる。これに伴い、動脈Ｂが圧閉されないことによってバックグラウンド脈波が発生する幅が狭くなり、図１３に示すグラフのように、結果として検出されるバックグラウンド脈波のレベルは小さくなる。
［００１５］
また、圧脈波振幅は利用者の動脈Ｂの力学的特性（動脈内外圧差に伴う動脈容積変化）に依存して変化する。例えば、動脈Ｂが柔らかい人はその振幅が大きく、逆に動脈硬化が進行した人ではその振幅が小さくなる（図１４参照）。したがって、前記力学的特性に依存してバックグラウンド脈波も変化する。
［００１６］
このことより、バックグラウンド脈波の成分を一定として定義された前記［数２］により収縮期血圧・拡張期血圧を決定すると、利用者によって過小または過大に血圧を決定されることになる。
［００１７］
この発明は、上述の問題に鑑み、血圧測定時における動脈の容積変化を示す圧脈波振幅の変化に対し、予め設定した定数を用いて所定の演算を実行する際に、該定数を測定状態関連情報に基づいて補正することにより、取得済みのデータを利用して精度よく血圧値を取得する電子血圧計および血圧測定方法を提供し、利用者の満足度を向上させることを目的とする。
課題を解決するための手段
［００１８］
この発明は、血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、前記血圧算
【手続補正３】
【補正対象書類名】明細書
【補正対象項目名】０００５
【補正方法】変更
【補正の内容】
【０００５】
出手段は、血圧測定時における動脈の容積変化を示す圧脈波振幅の最大値に対し定数を乗算する所定の演算に基づいて血圧算出パラメータを算出する構成であり、血圧測定時における利用者の状態又は／及び前記カフの状態に関連する測定状態関連情報を別途取得する情報取得手段と、該情報取得手段により前記測定状態関連情報を取得した場合、前記定数を前記測定状態関連情報に基づいて補正することにより、血圧算出パラメータを補正する補正手段とを備え、前記情報取得手段は、利用者の状態に関連する前記測定状態関連情報として、仮決定した血圧値の情報を取得する構成であり、前記補正手段は、前記仮決定した血圧値に基づいて前記第１、第２定数を補正する構成である電子血圧計であることを特徴とする。
［００１９］
前記利用者の状態に関連する前記測定状態関連情報は、測定時における利用者の血圧値に関連する情報、圧脈波振幅の最大値、測定部位に関連する情報、利用者の疾病情報、利用者の年齢情報で構成することができる。
［００２０］
前記カフの状態に関連する前記測定状態関連情報は、血圧測定時におけるカフ圧の最大値の情報、カフの巻付け強度の他、カフのサイズ、種類といったカフ仕様情報で構成することができる。
［００２１］
この発明により、血圧測定時における利用者の状態又は／及び前記カフの状態ごとに最適な血圧算出パラメータを設定し、測定誤差を低減できる。
［００２２］
［００２３］
前記仮決定した血圧値は、標準の血圧算出パラメータにより減圧中に仮決定することができる。
前記仮決定した血圧値は、標準の血圧算出パラメータにより加圧中に仮決定することができる。
前記仮決定した血圧値は、前記記録手段に記録されている血圧値とするこ
【手続補正４】
【補正対象書類名】明細書
【補正対象項目名】０００６
【補正方法】変更
【補正の内容】
【０００６】
とができる。
この発明により、利用者の血圧値ごとに最適な血圧算出パラメータを設定し、測定誤差を低減できる。
［００２４］
またこの発明は、前記血圧算出手段が、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するとともに、圧脈波振幅の最大値に第２定数を乗算し、かつ前記バックグラウンド脈波の成分に関連する第４定数を加算する所定の演算に基づいて収縮期血圧算出パラメータを算出する構成であり、前記補正手段は、前記測定状態関連情報に基づいて前記第３、第４定数を補正する構成である電子血圧計であることを特徴とする。
［００２５］
この発明により、バックグラウンド脈波の成分に関連する第３、第４定数を、血圧測定時における利用者の状態又は／及び前記カフの状態ごとに補正することができ、これによりバックグラウンド脈波の成分に起因する誤差の影響を抑制して正確な血圧値を算出できる。
［００２６］
またこの発明は、前記情報取得手段が、利用者の状態に関連する前記測定状態関連情報として、仮決定した血圧値の情報を取得する構成であり、前記補正手段は、前記仮決定した血圧値に基づいて前記第３、第４定数を補正する構成とすることができる。
［００２７］
またこの発明は、前記情報取得手段が、前記測定状態関連情報としてカフ圧の最大値の情報を取得する構成であり、前記補正手段は、前記カフ圧の最大値に基づいて前記第３、第４定数を補正する構成とすることができる。
［００２８］
またこの発明は、前記情報取得手段が、利用者の状態に関連する前記測定状態関連情報として、圧脈波振幅の最大値の情報を取得する構成であり、前記補正手段は、前記圧脈波振幅の最大値に基づいて前記第３、第４定数を補正する構成とすることができる。
［００２９］
またこの発明は、前記情報取得手段が、前記測定状態関連情報として前記
【手続補正５】
【補正対象書類名】明細書
【補正対象項目名】０００７
【補正方法】変更
【補正の内容】
【０００７】
カフの巻付け強度の情報を取得する構成であり、前記補正手段は、前記カフの巻付け強度の情報に基づいて前記第３、第４定数を補正する構成とすることができる。
［００３０］
またこの発明は、前記情報取得手段が、前記測定状態関連情報として前記カフのサイズ又は／及び種類に関連するカフ仕様情報を取得する構成であり、前記補正手段は、前記カフ仕様情報に基づいて前記第３、第４定数を補正する構成とすることができる。
［００３１］
またこの発明は、前記情報取得手段が、前記測定状態関連情報として利用者の測定部位に関連する情報を取得する構成であり、前記補正手段は、利用者の測定部位に関連する情報に基づいて前記第３、第４定数を補正する構成とすることができる。
［００３２］
前記利用者の測定部位に関連する情報は、測定部位の周囲長、質といった情報で構成することができる。
［００３３］
前記測定部位の質は体脂肪率、皮下脂肪率、又は、ＢＭＩとすることができる。
［００３４］
またこの発明は、前記情報取得手段が、前記測定状態関連情報として利用者の疾病情報を取得する構成であり、前記補正手段は、利用者の疾病情報に基づいて前記第３、第４定数を補正する構成とすることができる。
［００３５］
またこの発明は、前記情報取得手段が、前記測定状態関連情報として利用者の年齢情報を取得する構成であり、前記補正手段は、利用者の年齢情報に基づいて前記第３、第４定数を補正する構成とすることができる。
［００３６］
またこの発明は、前記情報取得手段が、前記のカフの内圧の変化の検出に基づいて前記測定状態関連情報を取得する構成とすることができる。
［００３７］
またこの発明は、利用者による前記測定状態関連情報の入力を許容する入力手段を備え、前記情報取得手段は、前記血圧測定開始前に入力された前記測定状態関連情報を取得する構成とすることができる。
［００３８］
またこの発明は、カフを血圧測定部位に装着した時に前記カフに加える圧力を加圧・減圧手段により調整し、圧力検出手段により検出したカフ圧に
【手続補正６】
【補正対象書類名】明細書
【補正対象項目名】０００８
【補正方法】変更
【補正の内容】
【０００８】
づいて、血圧算出手段により血圧値を算出する血圧測定方法であって、前記血圧算出手段において、血圧測定時における動脈の容積変化を示す圧脈波振幅の最大値に対し、予め設定した定数を用いて所定の演算を実行することにより血圧算出パラメータを算出するステップを有するとともに、血圧測定時における利用者の状態又は／及び前記カフの状態に関連する測定状態関連情報を情報取得手段により別途取得し、前記測定状態関連情報を前記情報取得手段により取得した場合、補正手段において前記定数を前記測定状態関連情報に基づいて補正することにより、前記血圧算出パラメータを補正するステップを有し、前記血圧算出手段により血圧算出パラメータを算出するステップは、圧脈波振幅の最大値に対し前記定数を乗算する所定の演算に基づいて血圧算出パラメータを算出し、前記補正手段により補正するステップは、前記利用者の状態に関連する測定状態関連情報として、仮決定した血圧値の情報を情報取得手段により取得し、前記仮決定した血圧値に基づいて前記定数を補正する血圧測定方法とすることができる。
［００３９］
この発明により、血圧測定時における利用者の状態又は／及び前記カフの状態ごとに最適な血圧算出パラメータを設定し、測定誤差を低減する処理を実行することができる。
［００４０］
［００４１］
またこの発明により、利用者の血圧値ごとに最適な血圧算出パラメータを設定し、測定誤差を低減する処理を実行することができる。
［００４２］
またこの発明は、前記血圧算出手段により血圧算出パラメータを算出するステップが、圧脈波振幅の最大値に対し第１定数を乗算し、かつ前記バックグラウンド脈波の成分に関連する第３定数を加算する所定の演算に基づいて収縮期血圧算出パラメータを算出するとともに、圧脈波振幅の最大値に対し第２定数を乗算し、かつ前記バックグラウンド脈波の成分に関連する第４定数を加算する所定の演算に基づいて拡張期血圧算出パラメータを算出し、前
【手続補正書】
【提出日】平成23年3月25日(2011.3.25)
【手続補正１】
【補正対象書類名】明細書
【補正対象項目名】全文
【補正方法】変更
【補正の内容】
【発明の詳細な説明】
【技術分野】
【０００１】
この発明は、血圧測定部位に装着するカフと、カフ圧により血圧値を算出する血圧算出手段を備えた電子血圧計、およびこれを用いた血圧測定方法に関する。
【背景技術】
【０００２】
血圧は、循環器系疾患を解析する指標の一つである。血圧に基づいてリスク解析を行うことは、たとえば脳卒中や心不全や心筋梗塞などの心血管系の疾患の予防に有効である。このリスク解析を行うための診断は、従来、通院時や健康診断時などの医療機関で測定される血圧（随時血圧）により行われていた。しかし、近年の研究により、家庭で測定する血圧（家庭血圧）が随時血圧より循環器系疾患の診断に有用であることが判明してきた。それに伴い、家庭で使用する血圧計が普及している。
【０００３】
現在普及している電子血圧計は、そのほとんどがオシロメトリック方式の血圧算出アルゴリズムを用いている。オシロメトリック方式は、上腕などの測定部位にカフを巻き、所定圧まで加圧したあと、徐々に、あるいは、段階的に減圧していく。このオシロメトリック方式は、その減圧途中に発生する動脈容積変化をカフ圧に重畳する圧変化（圧脈波振幅）として検出し、その圧脈波振幅の変化に対し、所定のアルゴリズムを適用して収縮期血圧・拡張期血圧を決定する方式である。一般的に、減圧中に得られる圧脈波振幅が急に大きくなった点が収縮期血圧、逆に急に小さくなった点が拡張期血圧に近似している。そこで、この点を検出するために様々なアルゴリズムが検討されてきた。
【０００４】
例えば、図９、及び、下記［数１］に示すように、圧脈波振幅の最大値に予め設定された所定の比率（第１定数α、第２定数β）を乗じて得られた値を血圧算出パラメータとし、そのパラメータと合致（あるいはもっとも近い）する圧脈波振幅が得られるカフ圧を血圧値として算出するものが提案されている（下記特許文献１参照）。  
［数１］  
収縮期血圧算出パラメータ＝圧脈波振幅最大値×α  
拡張期血圧算出パラメータ＝圧脈波振幅最大値×β
【先行技術文献】
【特許文献】
【０００５】
【特許文献１】特公平３−８１３７５号公報
【発明の概要】
【発明が解決しようとする課題】
【０００６】
しかし、この圧脈波振幅が急変するところが収縮期血圧、拡張期血圧と一致するという理論的根拠は存在しない。このため、上記血圧算出パラメータを決定する第１、第２定数（α、β）は、多数の血圧値および圧脈波振幅の変化パターン（以下、「包絡線」という。）に基づき経験的あるいは統計的に決定せざるを得なかった。ここで、従来においては、血圧測定時における利用者の状態又は／及び前記カフの状態に関わらず、第１定数αは約０．５程度、第２定数βは約０．７程度の固定値とされていた。
【０００７】
一方、包絡線を形成する圧脈波振幅について、次のような課題がある。  
まず、圧脈波振幅は、測定部位に装着したカフに伝達される動脈の容積変化を圧力変化として検出したものである。そのため、圧脈波振幅は、カフの特性に影響を受けることになる。カフの特性の一つとして、図１０のグラフに示すように、カフ内の圧力（以下カフ圧）を１ｍｍＨｇ変化させるために必要な空気流量（以下、カフコンプライアンス）がある。図１０に示すように、カフ圧が高くなるにつれ、カフコンプライアンスは小さくなる。そのため、このカフに、カフ圧に依存せず一定の脈波振幅を与えると、図１１に示すように、その振幅はカフ圧が高くなるにつれ大きく検出されることになる。
【０００８】
したがって、例えば同一の包絡線形状となるような圧脈波振幅の変化をもった血圧の異なる２人の利用者を測定した場合、血圧によって血圧計が検出する圧脈波振幅、すなわち、包絡線形状が異なる。このため、血圧によってその測定精度に差が出ることがあった。
【０００９】
次に、図１２を参照しながら、利用者の腕Ａの動脈Ｂをカフ２１０１によって圧迫した時の状態を説明する。カフ圧を血圧測定範囲の所定圧以上に加圧したとき、図１２に示すように、カフ２１０１の中央部はその圧力が十分に動脈Ｂに伝達され、動脈Ｂは完全に圧閉されている。
【００１０】
しかしながら、カフ２１０１の端部はその圧力が十分に動脈Ｂに伝達されないため、動脈Ｂは完全には圧閉されないことになる。これは、カフ２１０１の構造に依存するもので、一般に使用されているカフ構造では、必ず動脈Ｂが圧閉されない部分が生じる。カフ２１０１の心臓側にあたるこの圧閉されない部分では、血流が存在するため、動脈Ｂの容積変化が発生し、それによる圧脈波が検出されることになる。前記特許文献１では、この圧脈波をバックグラウンド脈波と称している。このバックグラウンド脈波が存在するため、前記［数１］では収縮期血圧を過大に、拡張期血圧を過小に検出することになる。
【００１１】
そこで、前記特許文献１に開示された従来技術では、前記［数１］を下記［数２］に示すように変更している。つまり、圧脈波振幅の最大値に予め設定された所定の比率（第１定数α）を乗じて得られた値にバックグラウンド脈波の成分を示すオフセット補正値（第３定数ζ）を加算することにより、収縮期血圧算出パラメータを算出し、さらには、圧脈波振幅の最大値に予め設定された所定の比率（第２定数β）を乗じて得られた値にバックグラウンド脈波の成分を示すオフセット補正値（第４定数η）を加算することにより、拡張期血圧算出パラメータを算出している。
【００１２】
［数２］  
収縮期血圧算出パラメータ＝圧脈波振幅最大値×α＋ζ  
拡張期血圧算出パラメータ＝圧脈波振幅最大値×β＋η  
【００１３】
前記［数２］は、バックグラウンド脈波が利用者の属性（腕Ａの周囲長・血圧）やカフ２１０１のサイズ、カフ圧など、血圧測定時における利用者の状態又は／及びカフ２１０１の状態に依存せず一定であるとの前提に基づいている。
【００１４】
しかしながら、バックグラウンド脈波は血圧測定時における前記各種状態によって変化することが判明してきた。例えば、カフ圧を上昇していくと、図１２に示すように動脈Ｂが圧閉される幅が広くなる。これに伴い、動脈Ｂが圧閉されないことによってバックグラウンド脈波が発生する幅が狭くなり、図１３に示すグラフのように、結果として検出されるバックグラウンド脈波のレベルは小さくなる。
【００１５】
また、圧脈波振幅は利用者の動脈Ｂの力学的特性（動脈内外圧差に伴う動脈容積変化）に依存して変化する。例えば、動脈Ｂが柔らかい人はその振幅が大きく、逆に動脈硬化が進行した人ではその振幅が小さくなる（図１４参照）。したがって、前記力学的特性に依存してバックグラウンド脈波も変化する。
【００１６】
このことより、バックグラウンド脈波の成分を一定として定義された前記［数２］により収縮期血圧・拡張期血圧を決定すると、利用者によって過小または過大に血圧を決定されることになる。
【００１７】
この発明は、上述の問題に鑑み、血圧測定時における動脈の容積変化を示す圧脈波振幅の変化に対し、予め設定した定数を用いて所定の演算を実行する際に、該定数を測定状態関連情報に基づいて補正することにより、取得済みのデータを利用して精度よく血圧値を取得する電子血圧計および血圧測定方法を提供し、利用者の満足度を向上させることを目的とする。
【課題を解決するための手段】
【００１８】
この発明は、血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、前記血圧算出手段は、血圧測定時における動脈の容積変化を示す圧脈波振幅の最大値に対し定数を乗算する所定の演算に基づいて血圧算出パラメータを算出する構成であり、血圧測定時における利用者の状態又は／及び前記カフの状態に関連する測定状態関連情報を別途取得する情報取得手段と、該情報取得手段により前記測定状態関連情報を取得した場合、前記定数を前記測定状態関連情報に基づいて補正することにより、血圧算出パラメータを補正する補正手段とを備え、前記情報取得手段は、利用者の状態に関連する前記測定状態関連情報として、仮決定した血圧値の情報を取得する構成であり、前記補正手段は、前記仮決定した血圧値に基づいて前記第１、第２定数を補正する構成である電子血圧計であることを特徴とする。
【００１９】
前記利用者の状態に関連する前記測定状態関連情報は、測定時における利用者の血圧値に関連する情報、圧脈波振幅の最大値、測定部位に関連する情報、利用者の疾病情報、利用者の年齢情報で構成することができる。  
【００２０】
前記カフの状態に関連する前記測定状態関連情報は、血圧測定時におけるカフ圧の最大値の情報、カフの巻付け強度の他、カフのサイズ、種類といったカフ仕様情報で構成することができる。
【００２１】
この発明により、血圧測定時における利用者の状態又は／及び前記カフの状態ごとに最適な血圧算出パラメータを設定し、測定誤差を低減できる。
【００２２】
前記仮決定した血圧値は、標準の血圧算出パラメータにより減圧中に仮決定することができる。  
前記仮決定した血圧値は、標準の血圧算出パラメータにより加圧中に仮決定することができる。  
前記仮決定した血圧値は、前記記録手段に記録されている血圧値とすることができる。  
この発明により、利用者の血圧値ごとに最適な血圧算出パラメータを設定し、測定誤差を低減できる。
【００２３】
またこの発明は、前記血圧算出手段が、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するとともに、圧脈波振幅の最大値に第２定数を乗算し、かつ前記バックグラウンド脈波の成分に関連する第４定数を加算する所定の演算に基づいて収縮期血圧算出パラメータを算出する構成であり、前記補正手段は、前記測定状態関連情報に基づいて前記第３、第４定数を補正する構成である電子血圧計であることを特徴とする。
【００２４】
この発明により、バックグラウンド脈波の成分に関連する第３、第４定数を、血圧測定時における利用者の状態又は／及び前記カフの状態ごとに補正することができ、これによりバックグラウンド脈波の成分に起因する誤差の影響を抑制して正確な血圧値を算出できる。
【００２５】
またこの発明は、前記情報取得手段が、利用者の状態に関連する前記測定状態関連情報として、仮決定した血圧値の情報を取得する構成であり、前記補正手段は、前記仮決定した血圧値に基づいて前記第３、第４定数を補正する構成とすることができる。
【００２６】
またこの発明は、前記情報取得手段が、前記測定状態関連情報としてカフ圧の最大値の情報を取得する構成であり、前記補正手段は、前記カフ圧の最大値に基づいて前記第３、第４定数を補正する構成とすることができる。
【００２７】
またこの発明は、前記情報取得手段が、利用者の状態に関連する前記測定状態関連情報として、圧脈波振幅の最大値の情報を取得する構成であり、前記補正手段は、前記圧脈波振幅の最大値に基づいて前記第３、第４定数を補正する構成とすることができる。
【００２８】
またこの発明は、前記情報取得手段が、前記測定状態関連情報として前記カフの巻付け強度の情報を取得する構成であり、前記補正手段は、前記カフの巻付け強度の情報に基づいて前記第３、第４定数を補正する構成とすることができる。
【００２９】
またこの発明は、前記情報取得手段が、前記測定状態関連情報として前記カフのサイズ又は／及び種類に関連するカフ仕様情報を取得する構成であり、前記補正手段は、前記カフ仕様情報に基づいて前記第３、第４定数を補正する構成とすることができる。
【００３０】
またこの発明は、前記情報取得手段が、前記測定状態関連情報として利用者の測定部位に関連する情報を取得する構成であり、前記補正手段は、利用者の測定部位に関連する情報に基づいて前記第３、第４定数を補正する構成とすることができる。
【００３１】
前記利用者の測定部位に関連する情報は、測定部位の周囲長、質といった情報で構成することができる。
【００３２】
前記測定部位の質は体脂肪率、皮下脂肪率、又は、ＢＭＩとすることができる。
【００３３】
またこの発明は、前記情報取得手段が、前記測定状態関連情報として利用者の疾病情報を取得する構成であり、前記補正手段は、利用者の疾病情報に基づいて前記第３、第４定数を補正する構成とすることができる。
【００３４】
またこの発明は、前記情報取得手段が、前記測定状態関連情報として利用者の年齢情報を取得する構成であり、前記補正手段は、利用者の年齢情報に基づいて前記第３、第４定数を補正する構成とすることができる。
【００３５】
またこの発明は、前記情報取得手段が、前記のカフの内圧の変化の検出に基づいて前記測定状態関連情報を取得する構成とすることができる。
【００３６】
またこの発明は、利用者による前記測定状態関連情報の入力を許容する入力手段を備え、前記情報取得手段は、前記血圧測定開始前に入力された前記測定状態関連情報を取得する構成とすることができる。
【００３７】
またこの発明は、カフを血圧測定部位に装着した時に前記カフに加える圧力を加圧・減圧手段により調整し、圧力検出手段により検出したカフ圧に基づいて、血圧算出手段により血圧値を算出する血圧測定方法であって、前記血圧算出手段において、血圧測定時における動脈の容積変化を示す圧脈波振幅の最大値に対し、予め設定した定数を用いて所定の演算を実行することにより血圧算出パラメータを算出するステップを有するとともに、血圧測定時における利用者の状態又は／及び前記カフの状態に関連する測定状態関連情報を情報取得手段により別途取得し、前記測定状態関連情報を前記情報取得手段により取得した場合、補正手段において前記定数を前記測定状態関連情報に基づいて補正することにより、前記血圧算出パラメータを補正するステップを有し、前記血圧算出手段により血圧算出パラメータを算出するステップは、圧脈波振幅の最大値に対し前記定数を乗算する所定の演算に基づいて血圧算出パラメータを算出し、前記補正手段により補正するステップは、前記利用者の状態に関連する測定状態関連情報として、仮決定した血圧値の情報を情報取得手段により取得し、前記仮決定した血圧値に基づいて前記定数を補正する血圧測定方法とすることができる。
【００３８】
この発明により、血圧測定時における利用者の状態又は／及び前記カフの状態ごとに最適な血圧算出パラメータを設定し、測定誤差を低減する処理を実行することができる。
【００３９】
またこの発明により、利用者の血圧値ごとに最適な血圧算出パラメータを設定し、測定誤差を低減する処理を実行することができる。
【００４０】
またこの発明は、前記血圧算出手段により血圧算出パラメータを算出するステップが、圧脈波振幅の最大値に対し第１定数を乗算し、かつ前記バックグラウンド脈波の成分に関連する第３定数を加算する所定の演算に基づいて収縮期血圧算出パラメータを算出するとともに、圧脈波振幅の最大値に対し第２定数を乗算し、かつ前記バックグラウンド脈波の成分に関連する第４定数を加算する所定の演算に基づいて拡張期血圧算出パラメータを算出し、前記補正手段により補正するステップは、前記測定状態関連情報に基づいて前記第３、第４定数を補正することができる。
【００４１】
この発明により、バックグラウンド脈波の成分に関連する第３、第４定数を、血圧測定時における利用者の状態又は／及び前記カフの状態ごとに補正し、バックグラウンド脈波の成分に起因する誤差の影響を抑制して正確な血圧値を算出する処理を実行することができる。
【発明の効果】
【００４２】
この発明により、取得済みのデータを利用して精度よく血圧値を取得する電子血圧計および血圧測定方法を提供し、利用者の満足度を向上させることができる。
【図面の簡単な説明】
【００４３】
【図１】実施例１の電子血圧計の構成を示すブロック図。
【図２】実施例１における血圧測定動作を示すフローチャート。
【図３】標準及び仮平均血圧値ごとの血圧算出パラメータ決定用の比率を示すテーブル。
【図４】実施例１における血圧測定動作の別の例を示すフローチャート。
【図５】実施例１における血圧測定動作の別の例を示すフローチャート。
【図６】実施例２における血圧測定動作を示すフローチャート。
【図７】利用者の腕の動脈をカフによって圧迫した時の状態を示す図であり、バックグラウンド脈波と利用者の測定部位の周囲長との関係を説明するための図。
【図８】利用者の腕の動脈をカフによって圧迫した時の状態を示す図であり、バックグラウンド脈波とカフのサイズとの関係を説明するための図。
【図９】オシロトリック方式血圧計の血圧算出アルゴリズム例を説明するグラフ。
【図１０】カフの特性（カフコンプライアンス）例を示すグラフ。
【図１１】一定の脈波振幅を入力したとき血圧計が検出する圧脈波振幅例を示すグラフ。
【図１２】利用者の腕の動脈をカフによって圧迫した時の状態を示す図であり、バックグラウンド脈波と血圧値との関係を説明するための図。
【図１３】バックグラウンド脈波振幅の特性を示すグラフ。
【図１４】動脈の力学的特性例を示すグラフ。
【発明を実施するための形態】
【００４４】
以下、この発明の一実施形態を図面と共に説明する。  
【実施例１】
【００４５】
先ず、血圧算出パラメータを利用者の血圧値毎に最適化する実施例１について説明する。  
実施例１の電子血圧計２１００は、図１に示すように、カフ２１０１、エア管２１０２、圧力センサ２１０３、ポンプ２１０４、弁２１０５、発振回路２１１１、ポンプ駆動回路２１１２、弁駆動回路２１１３、計時部２１１５、電源２１１６、ＣＰＵ２１２０、表示部２１２１、メモリ（処理用）２１２２、メモリ（記録用）２１２３、操作部２１３０、インターフェイス２１７１、外部メモリ２１７２を備えている。  
なお、図１は、実施例１の電子血圧計２１００の構成を示すブロック図である。
【００４６】
カフ２１０１は、エア管２１０２に接続され、空気圧により加圧するために利用者の血圧測定部位に装着される帯状の部材である。
【００４７】
圧力センサ２１０３は、静電容量型の圧力センサであり、カフ内の圧力（カフ圧）に応じて容量値が変化する。
【００４８】
ポンプ２１０４、及び、弁２１０５は、カフ内に圧力を付与するとともにカフ内の圧力を調節（制御）する。  
発振回路２１１１は、圧力センサ２１０３の容量値に応じた周波数の信号を出力する。  
ポンプ駆動回路２１１２、及び、弁駆動回路２１１３は、それぞれポンプ２１０４、弁２１０５を駆動する。
【００４９】
計時部２１１５は、現在日時を計時する装置であり、必要に応じて計時した日時をＣＰＵ２１２０へ送信する。  
電源２１１６は、各構成部に電力供給を行なう。
【００５０】
ＣＰＵ２１２０は、ポンプ２１０４、弁２１０５、表示部２１２１、メモリ２１２２，２１２３、操作部２１３０、インターフェイス２１７１の制御と血圧決定処理と記録値の管理を実行する。
【００５１】
表示部２１２１は、液晶画面などの表示装置によって構成され、ＣＰＵ２１２０から送られる信号に従って血圧値を表示する。
【００５２】
メモリ（処理用）２１２２は、血圧算出パラメータ決定用の比率（後述）や血圧計の制御プログラムを格納する。
【００５３】
メモリ（記録用）２１２３は、血圧値を記憶し、必要に応じて日時・利用者・測定値を関連付けて記憶する。
【００５４】
操作部２１３０は、電源スイッチ２１３１、測定スイッチ２１３２、停止スイッチ２１３３、記録呼び出しスイッチ２１４１、利用者選択スイッチ２１４２から構成され、血圧計の電源ＯＮ／ＯＦＦ・測定開始などの操作入力を許容し、入力された入力信号をＣＰＵ２１２０へ送る。  
インターフェイス２１７１は、ＣＰＵ２１２０の制御に従って外部メモリ２１７２に対し血圧値を記録／読み出しを実行する。
【００５５】
このように構成された電子血圧計２１００を用いた血圧測定動作について、図２のフローチャートに従い説明する。  
なお、図２は、実施例１における血圧測定動作を示すフローチャートである。
【００５６】
まず、電源スイッチ２１３１（電源ＳＷ）の操作により電源がＯＮの状態になると（ステップＳ２１０１）、ＣＰＵ２１２０は、血圧計の作業用メモリの初期化処理を実行し、圧力センサ２１０３の０ｍｍｇ調整を行なう（ステップＳ２１０２）。
【００５７】
初期化処理が終了すると、利用者の測定部位にカフ２１０１を巻き付け、利用者を選択し（ステップＳ２１０３）、測定スイッチ２１３２（測定ＳＷ）が押下されると（ステップＳ２１０４）、ＣＰＵ２１２０は、ポンプ２１０４によりカフ圧を所定の圧力まで加圧したあと（ステップＳ２１０５〜ステップＳ２１０６）、弁２１０５により徐々にカフ圧を減圧していく（ステップＳ２１０７）。
【００５８】
ＣＰＵ２１２０は、この減圧中に得られるカフ圧に重畳した動脈の容積変化に伴う圧変化成分を抽出し、所定の演算により仮血圧値を算出する（ステップＳ２１０８）。仮血圧値を算出した後（ステップＳ２１０９）、ＣＰＵ２１２０は、弁２１０５を開放し、カフ内の空気を排気する。ＣＰＵ２１２０は、算出した仮血圧値より血圧算出パラメータを最適化し（ステップＳ２１１０）、最適化された血圧算出パラメータを用いて血圧値を算出する（ステップＳ２１１１）。ＣＰＵ２１２０は、算出した血圧値を表示部２１２１に表示するとともに（ステップＳ２１１２）、測定日時・利用者と関連づけてメモリ（記録用）２１２３に記録する（ステップＳ２１１３）。
【００５９】
上述した血圧算出パラメータの最適化処理（ステップＳ２１１０）を中心にステップＳ２１０５からステップＳ２１１１までの処理について詳述する。  
メモリ（処理用）２１２２には、図３のテーブルに示すように、標準および仮血圧値ごとの血圧算出パラメータ（収縮期血圧算出パラメータ、拡張期血圧算出パラメータ）決定用の比率α、βを記録しておく。  
なお、図３は、標準および仮平均血圧値に応じて分類した血圧算出パラメータ決定用の比率（α、β）を示すテーブルである。
【００６０】
図２中のステップＳ２１０８を実行するＣＰＵ２１２０は、圧脈波振幅の最大値に標準の血圧算出パラメータ決定用の比率α、β（第１、第２定数）を乗じて仮収縮期血圧算出パラメータ及び仮拡張期血圧算出パラメータを算出し、これによって仮血圧値（仮拡張期血圧、仮収縮期血圧）を算出する。ここでは、仮収縮期血圧算出パラメータ決定用の比率α（第１定数）を０．５（５０％）、仮拡張期血圧算出パラメータ決定用の比率β（第２定数）を０．７（７０％）に設定する。このようにして、仮収縮期血圧算出パラメータ及び仮拡張期血圧算出パラメータを算出すると、ＣＰＵ２１２０は、次式で仮平均血圧値を算出する。  
［数３］  
仮平均血圧値＝仮拡張期血圧＋（仮収縮期血圧−仮拡張期血圧）／３  
ステップＳ２１０９〜Ｓ２１１０を実行するＣＰＵ２１２０は、図３をもとに仮平均血圧値に該当する血圧算出パラメータ決定用の比率α、βを決定し、圧脈波振幅の最大値に前記比率α、βを乗じて得た血圧算出パラメータを、最適化された血圧算出パラメータとして決定し、ステップＳ２１１１では、最適化された血圧算出パラメータを使用して再度血圧算出を行う。
【００６１】
本実施例では、仮平均血圧値を所定範囲別に複数（例えば３つ）の区分に分けており、各区分毎に収縮期血圧算出パラメータ決定用の比率α、及び拡張期血圧算出パラメータ決定用の比率βが事前に設定されている。
【００６２】
前記比率αは、１００ｍｍＨｇ未満の区分が最も大きく５５％であり、その仮平均血圧値が大きくなるに従って小さくなっている。例えば、１５０ｍｍＨｇ以上の区分においては、最も小さい４５％になっている。
【００６３】
一方、前記比率βは、逆に１００ｍｍＨｇ未満の区分の区分が最も小さく６０％であり、その仮平均血圧値が大きくなるに従って大きくなっている。例えば、１５０ｍｍＨｇ以上の区分においては、最も大きい８０％になっている。
【００６４】
上述では、仮平均血圧値に基づいて前記比率α、βを分類したが、仮収縮期血圧値や仮拡張期血圧値のいずれか、または、２つ以上の複数の仮血圧値に基づいて分類してもよい。  
さらに、脈波振幅が最大値となるカフ圧で分類してもよい。
【００６５】
さらにまた、仮収縮期血圧、仮拡張期血圧、仮平均血圧、脈波振幅最大値となるカフ圧のいずれかを用いて、次式で血圧算出パラメータを算出してもよい。  
［数４］  
収縮期血圧算出パラメータ  Ｐ＿ＳＢＰ  ＝  Ψ×Ｐ２＋ω×Ｐ＋ε  
拡張期血圧算出パラメータ  Ｐ＿ＤＢＰ  ＝  δ×Ｐ２＋π×Ｐ＋ρ  
ここで、Ｐは、仮収縮期血圧、仮拡張期血圧、仮平均血圧、脈波振幅最大値となるカフ圧のいずれかを示し、Ψ，ω，ε，δ，π，ρは、カフコンプライアンスより決定される所定の係数を示す。
【００６６】
続いて、血圧測定動作の別の例として前記仮決定した血圧値を、標準の血圧算出パラメータにより加圧中に仮決定することを特徴とする実施例について、図４のフローチャートに従い説明する。  
なお、図４は、実施例１における血圧測定動作の一例を示すフローチャートである。また、以下に述べる各実施例では、主にＣＰＵ２１２０における演算が異なるものの、電子血圧計２１００のハードウェア構成については上述した実施例と略同様であるため、各部の構成については、図１の符号を用いて説明する。
【００６７】
まず、血圧計の電源スイッチ２１３１が押下されると（ステップＳ２１２１）、ＣＰＵ２１２０は、血圧計の作業用メモリを初期化し、圧力センサ２１０３の０ｍｍＨｇ調整を行う（ステップＳ２１２２）。  
次に、血圧を測定する利用者が選択され（ステップＳ２１２３）、測定スイッチ２１３２が押下されると（ステップＳ２１２４）、ＣＰＵ２１２０は、ポンプ２１０４によりカフ圧を徐々に加圧していく（ステップＳ２１２５）。ＣＰＵ２１２０は、加圧中に得られるカフ圧に重畳した動脈の容積変化に伴う圧変化成分を抽出し、所定の演算により仮血圧値を算出する（ステップＳ２１２６）。所定の圧力まで加圧したあと（ステップＳ２１２７）、ＣＰＵ２１２０は、加圧中に算出された仮血圧値により血圧算出パラメータを最適化する（ステップＳ２１２８）。
【００６８】
次に、ＣＰＵ２１２０は、弁２１０５により徐々にカフ圧を減圧していく（ステップＳ２１２９）。ＣＰＵ２１２０は、減圧中に得られるカフ圧に重畳した動脈の容積変化に伴う圧変化成分を抽出し、前記最適化された血圧算出パラメータを用いて所定の演算により血圧値を算出する（ステップＳ２１３０）。血圧値を算出した後は（ステップＳ２１３１）、ＣＰＵ２１２０は、弁２１０５を開放しカフ内の空気を排気する。ＣＰＵ２１２０は、算出した血圧値は表示部２１２１に表示するとともに（ステップＳ２１３２）、測定日時・利用者と関連づけてメモリ（記録用）２１２３に記録する（ステップＳ２１３３）。  
ここでの血圧算出パラメータの最適化処理は、前述と同様の処理であるため省略する。
【００６９】
続いて、血圧測定動作の別の例として、前記仮決定した血圧値が、メモリ（記録用）２１２３に記録されている血圧値であることを特徴とする実施例について、図５のフローチャートに従い説明する。  
なお、図５は、実施例１における血圧測定動作の一例を示すフローチャートである。
【００７０】
血圧計の電源スイッチ２１３１が押下されると（ステップＳ２１４１）、ＣＰＵ２１２０は、血圧計の作業用メモリを初期化し、圧力センサ２１０３の０ｍｍＨｇ調整を行う（ステップＳ２１４２）。
【００７１】
次に、血圧を測定する利用者が選択され（ステップＳ２１４３）、測定スイッチ２１３２が押下されると（ステップＳ２１４４）、ＣＰＵ２１２０は、選択された利用者の直近の記録値をメモリ（記録用）２１２３から読み出し（ステップＳ２１４５）、その記録値に基づいて血圧算出パラメータを最適化する（ステップＳ２１４６）。  
次に、ＣＰＵ２１２０は、ポンプ２１０４によりカフ圧を徐々に加圧していく（ステップＳ２１４７）。所定の圧力まで加圧した後（ステップＳ２１４８）、ＣＰＵ２１２０は、弁２１０５により徐々にカフ圧を減圧していく（ステップＳ２１４９）。
【００７２】
ＣＰＵ２１２０は、減圧中に得られるカフ圧に重畳した動脈の容積変化に伴う圧変化成分を抽出し、前記最適化された血圧算出パラメータを用いて所定の演算により血圧値を算出する（ステップＳ２１５０）。血圧値を算出した後は（ステップＳ２１５１：ＹＥＳ）、ＣＰＵ２１２０は、弁２１０５を開放しカフ内の空気を排気する。ＣＰＵ２１２０は、算出した血圧値は表示部２１２１に表示するとともに（ステップＳ２１５２）、測定日時・利用者と関連づけてメモリ（記録用）２１２３に記録する（ステップＳ２１５３）。
【００７３】
ここでの血圧算出パラメータの最適化処理は、前述と同様の処理であるため省略する。
【００７４】
また、血圧算出パラメータの最適化に使用する記録値は直近の２個以上の記録値の平均値や代表値であってもよい。  
さらに、記録値は外部の記録媒体（ＵＳＢメモリなどの外部メモリ２１７２）やパソコン、インターネット等を介したサーバに記録されている値を使用してもよい。
【００７５】
以上説明したように、血圧値を測定する生体情報取得手段と、血圧値を記録する記録手段（メモリ２１２３）と、血圧算出パラメータ決定用の比率や血圧計の制御プログラムを格納する手段（メモリ２１２２）と、血圧測定などの操作を行う操作手段（操作部２１３０）と、前記生体情報取得手段により取得する血圧値を、血圧測定時における利用者の状態又は／及び前記カフ２１０１の状態に関連する測定状態関連情報に基づいて補正する補正手段（ＣＰＵ２１２０）と、該補正後の補正後情報（血圧値）を出力する出力手段（表示部２１２１）とを備え、前記生体情報取得手段として、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２１００であって、血圧算出手段（ＣＰＵ２１２０）は、血圧測定時における動脈の容積変化を示す圧脈波振幅の最大値（変化）に対し、予め設定した第１定数としての比率α、第２定数としての比率βを乗算する所定の演算に基づいて血圧算出パラメータを算出する構成であり、前記利用者の測定状態関連情報として、仮決定した血圧値の情報を取得する情報取得手段（ステップＳ２１０８，Ｓ２１２６，Ｓ２１４５を実行するＣＰＵ２１２０）を備え、前記補正手段（ステップＳ２１１０，Ｓ２１２８，Ｓ２１４６を実行するＣＰＵ２１２０）は、前記仮決定した血圧値に基づいて比率α、βを補正することにより、血圧算出パラメータを補正する構成である。
【００７６】
前記構成により、利用者の血圧値ごとに最適な血圧算出パラメータを設定し、測定誤差を低減できるという効果が得られる。
【実施例２】
【００７７】
次に、バックグラウンド脈波の成分に関連するオフセット補正値（第３、第４定数）を血圧測定時における利用者の状態又は／及び前記カフ２１０１の状態に関連する測定状態関連情報により補正し、測定誤差を低減することのできる実施例２について、図６のフローチャートに従い説明する。  
なお、図６は、実施例２における血圧測定動作の一例を示すフローチャートである。
【００７８】
まず、血圧計の電源スイッチ２１３１が押下されると（ステップＳ２１６１）、ＣＰＵ２１２０は、血圧計の作業用メモリを初期化し、圧力センサ２１０３の０ｍｍＨｇ調整を行う（ステップＳ２１６２）。  
次に、血圧を測定する利用者が選択され（ステップＳ２１６３）、測定スイッチ２１３２が押下されると（ステップＳ２１６４）、ＣＰＵ２１２０は、ポンプ２１０４によりカフ圧を徐々に加圧したあと（ステップＳ２１６５〜ステップＳ２１６６）、弁２１０５により徐々にカフ圧を減圧していく（ステップＳ２１６７）。
【００７９】
ＣＰＵ２１２０は、この減圧中に得られるカフ圧に重畳した動脈の容積変化に伴う圧変化成分を抽出し、下記［数５］に示す所定の演算により、仮収縮期血圧値、仮拡張期血圧値を算出する（ステップＳ２１６８）。
【００８０】
［数５］  
Ｔ＿ＡｍｐＳｙｓ＝圧脈波振幅最大値×α＋ζｔｓｙｓ  
Ｔ＿ＡｍｐＤｉａ＝圧脈波振幅最大値×β＋ηｔｄｉａ  
ここで、前記［数５］におけるＴ＿ＡｍｐＳｙｓは、仮収縮期血圧算出パラメータ、Ｔ＿ＡｍｐＤｉａは、仮拡張期血圧算出パラメータである。また、ζｔｓｙｓおよびηｔｄｉａは、カフ２１０１内の圧力を血圧値測定範囲外の所定圧に加圧した時に発生するバックグラウンド脈波の成分に関連するオフセット補正値（第３、第４定数）であり、あらかじめ実験により決定された値である。
【００８１】
ＣＰＵ２１２０は、ステップＳ２１６８で算出したＴ＿ＡｍｐＳｙｓが図９に示す包絡線と交差する点のカフ圧を仮収縮期血圧値として決定し、ステップＳ２１６８で算出したＴ＿ＡｍｐＤｉａが図９に示す包絡線と交差する点のカフ圧を仮拡張期血圧値として決定する。
【００８２】
次に、ＣＰＵ２１２０は、ステップＳ２１６８で決定した仮収縮期血圧値、仮拡張期血圧値より、前記［数５］におけるバックグラウンド脈波の成分に関連するオフセット補正値ζ（第３定数）、オフセット補正値η（第４定数）を補正する。図１３に示すように、カフ圧が高くなるにつれバックグラウンド脈波の成分は小さくなるため、下記［数６］に示す所定の演算により、オフセット補正値を補正する（ステップＳ２１６９）。
【００８３】
［数６］  
ζ＝ζｔｓｙｓ＋仮収縮期血圧値×θ
η＝ηｔｄｉａ＋仮拡張期血圧値×ι
ここで、ここで、前記［数６］におけるθおよびιは、あらかじめ実験により決定された値である。
【００８４】
そして、ＣＰＵ２１２０は、ステップＳ２１６９で補正したζ、ηを前記［数５］のζｔｓｙｓ、ηｔｄｉａに置き換えた下記［数７］に示す所定の演算により、収縮期血圧算出パラメータ、および拡張期血圧算出パラメータを算出し、最適化する（ステップＳ２１７０）。
【００８５】
［数７］  
収縮期血圧算出パラメータ＝圧脈波振幅最大値×α＋ζ  
拡張期血圧算出パラメータ＝圧脈波振幅最大値×β＋η  
【００８６】
ここで、ＣＰＵ２１２０は、仮収縮期血圧値、仮拡張期血圧値の場合と同様、ステップＳ２１７０で算出した収縮期血圧算出パラメータ、拡張期血圧算出パラメータが前記包絡線と交差する点のカフ圧を、収縮期血圧値、拡張期血圧値として決定する（ステップＳ２１７１）。
【００８７】
ＣＰＵ２１２０は、算出した血圧値を表示部２１２１に表示するとともに（ステップＳ２１７２）、測定日時・利用者と関連づけてメモリ（記録用）２１２３に記録する（ステップＳ２１７３）。
【００８８】
以上説明したように、血圧値を測定する生体情報取得手段と、血圧値を記録する記録手段（メモリ２１２３）と、血圧計の制御プログラムを格納する手段（メモリ２１２２）と、血圧測定などの操作を行う操作手段（操作部２１３０）と、カフ２１０１内の圧力を血圧値測定範囲外の所定圧に加圧した時に発生するバックグラウンド脈波の成分に基づいて血圧値を補正する補正手段（ＣＰＵ２１２０）と、該補正後の補正後情報（血圧値）を出力する出力手段（表示部２１２１）とを備え、前記生体情報取得手段として、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２１００であって、血圧算出手段（ＣＰＵ２１２０）は、血圧測定時における動脈の容積変化を示す圧脈波振幅の最大値（変化）に対し、予め設定した第１定数としての比率αを乗算し、かつ前記バックグラウンド脈波の成分に関連する第３定数としてのオフセット補正値ζを加算する所定の演算に基づいて収縮期血圧算出パラメータを算出するとともに、圧脈波振幅の最大値（変化）に対し予め設定した第２定数としての比率βを乗算し、かつ前記バックグラウンド脈波の成分に関連する第４定数としてのオフセット補正値ηを加算する所定の演算に基づいて拡張期血圧算出パラメータを算出する構成であり、血圧測定時における利用者の状態に関連する測定状態関連情報として仮収縮期血圧値、仮拡張期血圧値の情報を取得する情報取得手段（ステップＳ２１６８を実行するＣＰＵ２１２０）を備え、前記補正手段（ステップＳ２１６９を実行するＣＰＵ２１２０）は、前記仮収縮期血圧値、仮拡張期血圧値の情報に基づいて血圧値のオフセット補正値ζ、ηを補正することにより、血圧算出パラメータを補正する構成である。
【００８９】
前記構成により、バックグラウンド脈波の成分に関連するオフセット補正値ζ、ηを血圧測定時における利用者の状態（本実施例では、利用者の血圧値）ごとに補正することができ、これによりバックグラウンド脈波の成分に起因する誤差の影響を抑制して正確な血圧値を算出できるという効果が得られる。
【００９０】
上述では、仮収縮期血圧値、仮拡張期血圧値に対し所定の比率を乗算することでオフセット補正値（第３、第４定数）を決定しているが、あらかじめ電子血圧計２１００のメモリ２１２３内に仮収縮期血圧値、仮拡張期血圧値に対応するオフセット補正値決定用（第３、第４定数決定用）テーブルを記憶しておき、そのテーブルよりオフセット補正値（第３、第４定数）を読み出しても良い。
【００９１】
続いて、血圧測定動作の別の例としてカフ圧の最大値に基づいて前記オフセット補正値を補正する実施例について説明する。
【００９２】
一般的に、オシロメトリック法の血圧値の決定方法としては以下に述べるものがある。  
まず、カフ圧の減圧中に血圧値を決定する方法（以下、減圧測定方式）があり、この減圧測定方式では、カフ圧を所定より高い圧まで加圧後、徐々に減圧していく時に圧脈波振幅が急増する点を収縮期血圧値、さらにカフ圧を徐々に減圧していき、圧脈波が急減する点を拡張期血圧値として決定する。  
これに対し、カフ２１０１の加圧中の血圧値を決定する方法（以後、加圧測定方式）があり、この加圧測定方式では、カフ圧を徐々に加圧していき、その過程で圧脈波振幅が急増する点を拡張期血圧値、さらにカフ圧を徐々に加圧していき、圧脈波が急減する点を収縮期血圧値として決定する。
【００９３】
ここで、減圧測定方式の場合は、カフ圧を測定範囲より所定の圧力（たとえば３０ｍｍＨｇ）高い圧力まで加圧するが、本実施例では、その圧力値をカフ圧最大値Ｐｃｍａｘと定義する。一方、加圧測定方式の血圧測定装置においては、カフ圧を徐々に加圧しながら収縮期血圧値を決定するために必要な圧脈波振幅情報が検出されるまで加圧する。収縮期血圧値決定後、加圧を停止し、弁２１０５によりカフ圧を急速に減圧するが、本実施例ではこの減圧開始直前のカフ圧をカフ圧最大値Ｐｃｍａｘと定義する。
【００９４】
本実施例では、このＰｃｍａｘに基づいて、ＣＰＵ２１２０が、下記［数８］に示す所定の演算により、バックグラウンド脈波の成分を示すオフセット補正値ζ、ηを補正する。本実施例では、下記［数８］に示すように、前記［数５］に示したオフセット補正値ζｔｓｙｓ、ηｔｄｉａを用いてオフセット補正値ζ、ηを補正している。
【００９５】
［数８］  
ζ＝ζｔｓｙｓ＋Ｐｃｍａｘ×κ  
η＝ηｔｄｉａ＋Ｐｃｍａｘ×λ  
ここで、前記［数８］におけるκおよびλは、あらかじめ実験により決定された値である。本実施例では、前記［数８］で補正したオフセット補正値ζ、ηを、図６に示した実施例と同様前記［数７］に適用して、収縮期血圧算出パラメータ、および拡張期血圧算出パラメータを算出し、最適化することによって血圧値を決定する。
【００９６】
なお、本実施例では、オフセット補正値とＰｃｍａｘとを対応づけたオフセット補正値決定用（第３、第４定数決定用）テーブルをあらかじめ電子血圧計２１００のメモリ２１２３内に記録しておき、そのテーブルよりオフセット補正値（第３、第４定数）を読み出しても良い。
【００９７】
このように、カフ圧の最大値Ｐｃｍａｘの情報に基づいて前記オフセット補正値ζ、ηを補正することで、カフ圧の最大値Ｐｃｍａｘの差に起因する誤差の影響を抑制して正確な血圧値を算出できる。
【００９８】
次に、血圧測定動作の別の例として圧脈波振幅の最大値に基づいて前記オフセット補正値を補正する実施例について説明する。  
本実施例では、図９に示す包絡線において、圧脈波振幅が最大（ＡｍｐＭａｘ）となる点のカフ圧をＰｃａｍｐと定義する。そして、このＰｃａｍｐに基づいて、ＣＰＵ２１２０は、バックグラウンド脈波の成分を示すオフセット補正値ζ、ηを下記［数９］に示す所定の演算により、補正する。
【００９９】
［数９］  
ζ＝ζｔｓｙｓ＋Ｐｃａｍｐ×μ  
η＝ηｔｄｉａ＋Ｐｃａｍｐ×ν  
ここで、前記［数９］におけるμおよびνは、あらかじめ実験により決定された値である。ここでの血圧算出パラメータの最適化処理は、前述と同様の処理であるため省略する。
【０１００】
なお、本実施例では、オフセット補正値とＰｃａｍｐとを対応づけたオフセット補正値決定用（第３、第４定数決定用）テーブルをあらかじめ電子血圧計２１００のメモリ２１２３内に記録しておき、そのテーブルよりオフセット補正値を読み出しても良い。
【０１０１】
このように、圧脈波振幅が最大（ＡｍｐＭａｘ）となる点のカフ圧をＰｃａｍｐの情報に基づいて前記オフセット補正値ζ、ηを補正することで、圧脈波振幅の最大値の差に起因する誤差の影響を抑制して正確な血圧値を算出できる。
【０１０２】
続いて、血圧測定動作の別の例としてカフ２１０１の巻き付け強度に基づいてオフセット補正値を補正する実施例について説明する。  
電子血圧計２１００の場合、カフ２１０１が腕Ａ（図１２参照）などの測定部位に隙間なく適切に巻かれている状態と比較すると、測定部位とカフ２１０１との間に隙間がある状態では、測定部位に同じ圧力を加えるためにカフ２１０１内の空気袋に多くの空気を流入させる必要がある。
【０１０３】
前記のように、圧脈波振幅は動脈Ｂ（図１２参照）の容積変化に伴って発生するカフ２１０１の容積変化を圧力変化として検出しているため、その圧脈波振幅は同じ動脈の容積変化であったとしても、カフ２１０１内の空気容量によって変化し、その空気容量が大きいほど圧脈波振幅は小さくなる。したがってカフ２１０１の巻き付け強度によってもバックグラウンド脈波の成分が変化することになる。
【０１０４】
そこで、前記［数７］のオフセット補正値をカフ２１０１の巻き付け強度に基づいて補正する必要がある。本実施例では、ＣＰＵ２１２０が、カフ２１０１の巻き方による補正を前記［数７］に加えた下記［数１０］に示す所定の演算により、収縮期血圧算出パラメータ、拡張期血圧算出パラメータを算出して、これを最適化している。すなわち、本実施例では、所定の比率ξをオフセット補正値ζに乗じてこれを補正するとともに、所定の比率σをオフセット補正値ηに乗じてこれを補正している。
【０１０５】
［数１０］  
収縮期血圧算出パラメータ＝圧脈波振幅最大値×α＋ζ×ξ  
拡張期血圧算出パラメータ＝圧脈波振幅最大値×β＋η×σ  
ここで、前記［数１０］におけるξおよびσは、あらかじめ実験により決定された値である。これらの値はカフ２１０１の巻き付け強度と対応づけたオフセット補正値決定用（第３、第４定数決定用）テーブルをあらかじめ電子血圧計２１００のメモリ２１２３内に記録しておき、そのテーブルより読み出す方法で決定すれば良い。
【０１０６】
また、カフ２１０１の巻き付け強度は、特開昭６２−８４７３８号公報、特公平５−６２５３８号公報、および特許第４１３４２３４号公報に記載されているような公知の技術を用いて、カフ２１０１を加圧する際のカフ圧変化の割合によって検出すれば良い。
【０１０７】
このように、カフ２１０１の巻き付け強度の情報に基づいて前記オフセット補正値ζ、ηを補正することで、前記巻き付け強度の違いによって生じるカフ２１０１内の空気容量の差に起因する誤差の影響を抑制して正確な血圧値を算出できる。
【０１０８】
続いて、血圧測定動作の別の例としてカフ２１０１の仕様（サイズ）に基づいて前記オフセット補正値を補正する実施例について説明する。  
電子血圧計２１００の場合、測定部位の周囲長が長くなればなるほど、動脈Ｂへの圧伝達の減衰が大きくなる。したがって、正確な血圧測定を行うには、測定部位の周囲長により適切なサイズのカフ２１０１を選択する必要がある。すなわち、測定部位の周囲長が長いほどカフ２１０１の幅（測定部位の周方向に直交する方向）や長さ（測定部位の周方向）を長くする必要がある。測定部位の周囲長に適したカフの幅や長さはＷＨＯ（世界保健機構）などで勧告・推奨されている。
【０１０９】
測定部位の周囲長が長くなればなるほどカフ２１０１のサイズ（幅・長さ）は長くなるため、それに伴いカフ２１０１内の空気袋の大きさも大きくなる。したがって、前述のとおりカフ２１０１のサイズが大きくなると、検出される圧脈波振幅も小さくなるため、バックグランド脈波の成分も小さくなる（図７参照）。
【０１１０】
そこで、前記［数７］のオフセット補正値をカフ２１０１のサイズで補正する必要がある。本実施例では、ＣＰＵ２１２０が、カフ２１０１のサイズによる補正を前記［数７］に加えた下記［数１１］に示す所定の演算により、収縮期血圧算出パラメータ、拡張期血圧算出パラメータを算出して、これを最適化している。すなわち、本実施例では、所定の比率τをオフセット補正値ζに乗じてこれを補正するとともに、所定の比率υをオフセット補正値ηに乗じてこれを補正している。
【０１１１】
［数１１］  
収縮期血圧算出パラメータ＝圧脈波振幅最大値×α＋ζ×τ  
拡張期血圧算出パラメータ＝圧脈波振幅最大値×β＋η×υ  
ここで、前記［数１１］におけるτおよびυは、あらかじめ実験により決定された値である。これらの値はカフ２１０１のサイズと対応づけたオフセット補正値決定用（第３、第４定数決定用）テーブルをあらかじめ電子血圧計２１００のメモリ２１２３内に記録しておき、そのテーブルより読み出す方法で決定すれば良い。
【０１１２】
このように、カフ２１０１のサイズの情報に基づいて前記オフセット補正値ζ、ηを補正することで、カフ２１０１の空気袋の大きさの違いに起因する誤差の影響を抑制して正確な血圧値を算出できる。
【０１１３】
また、カフ２１０１のサイズは、操作部２１３０などの入力部にスイッチを設けて、該スイッチにより測定前に入力するようにしても良いし、電子血圧計２１００本体のカフ２１０１との接続部にカフ２１０１のサイズを検出するセンサを設けて自動的に検出するようにしても良い。
【０１１４】
ここで、操作部２１３０などの入力部にスイッチを設けて、カフ２１０１のサイズなどの各種情報を測定前に入力可能にすることで、血圧値の算出に必要な各種情報を予め容易に取得することができ、血圧測定に要する時間の短縮化を図ることができる。
【０１１５】
また、カフ２１０１のサイズが大きくなるのに依存して、所定のカフ圧に達するまでにカフ２１０１に流入させる空気容量が大きくなるため、その経過時間も長くなる。したがって１回の血圧測定におけるカフ圧の変化に基づいて所定のカフ圧に達するまでの時間を測定し、この時間に基づいてカフ２１０１のサイズを検出するようにしてもよい。
【０１１６】
これにより、カフ２１０１のサイズなど、血圧値の算出に必要な各種情報を入力するための入力部やセンサなどを別途設けなくても、前記各種情報を簡素な構成によって取得することができる。
【０１１７】
また、上述では、カフ２１０１の仕様に関連する情報のうち、カフ２１０１のサイズに関連する情報に基づいてオフセット補正値ζ、ηを補正する場合を説明したが、カフ２１０１の仕様に関連する、構造・材質といった種類に関連する情報に基づいて前記補正を行ってもよい。たとえば、カフ２１０１内の空気袋の構造が風船のような１重構造であるカフと、特許３７４７９１７号公報に記載されているように空気袋の側面にマチ構造を設けたカフとでは、カフ２１０１が所定の内圧に達するために空気袋へ流入させる空気の容量は後者の方が大きくなる。また、例えば、カフ２１０１内の空気袋の材質が柔らかい材質ほど、カフ２１０１が所定の内圧に達するために空気袋へ流入させる空気の容量が大きくなる。
【０１１８】
これに対し、カフ２１０１の種類に関連する情報に基づいて前記オフセット補正値ζ、ηを補正することで、カフ２１０１の種類別の空気容量の差に起因する誤差の影響を抑制して正確な血圧値を算出できる。
【０１１９】
また、前述のとおり、測定部位の周囲長が長いほど測定に使用するカフ２１０１のサイズは大きくなる。したがって、図８に示すようにカフ２１０１のサイズに依存してバックグランド脈波の成分が変化することに基づき、前記［数１１］のオフセット補正値（第３、第４定数）を測定部位の周囲長によって補正するようにしてもよい。これにより、カフ２１０１のサイズの違いに起因する誤差の影響を抑制して正確な血圧値を算出できる。
【０１２０】
また、測定部位の質が柔らかいほど、カフ２１０１内の空気袋の膨らみが大きくなる。そして、この場合、測定部位とカフ２１０１との間に隙間がある状態と同じような状態になり、圧脈派振幅は小さくなる。したがって、測定部位の質によって補正を行うようにしてもよい。これにより、カフ２１０１の空気袋の膨らみの差に起因する誤差の影響を抑制して正確な血圧値を算出できる。
【０１２１】
この場合、測定部位の周囲長または質は、操作部２１３０などの入力部から入力するようにしてもよいし、１回の血圧測定におけるカフ圧の変化に基づいて所定のカフ圧に達するまでの時間を測定し、この時間に基づいて検出してもよい。なお、測定部位の質の入力は、例えばＢＭＩ（Ｂｏｄｙ  Ｍａｓｓ  Ｉｎｄｅｘ）、体脂肪率などで代替できる。例えば、ＢＭＩが大きい場合や、体脂肪率が大きい場合には、測定部位にも脂肪が多く付いていると判断し、該測定部位の質が柔らかいものとみなして補正をすることも可能である。
【０１２２】
これにより、測定部位に関連する各種情報を入力するための入力部やセンサなどを別途設けなくても、前記測定部位に関連する情報を簡素な構成によって取得することができる。
【０１２３】
続いて、血圧測定動作の別の例として血圧測定開始前に入力された利用者情報
に基づいて前記オフセット補正値を補正する実施例について説明する。  
電子血圧計２１００の場合、図９に示す包絡線の形状は動脈の力学的特性に依存して決定される。図１４は、動脈の力学的特性例を示すグラフであり、図１４に示すような動脈の力学的特性を決定する要因の一つに動脈弾性がある。動脈の弾性は年齢や疾病（特に動脈硬化）に依存し、高齢化や疾病の進行に伴い動脈弾性は硬くなる。動脈弾性が硬くなるとカフ２１０１で圧迫してもなかなか動脈が圧閉されないため、動脈弾性の軟らかい人と比べるとカフ圧が高くなるまでバックグランド脈波が存在することになる。
【０１２４】
そこで、あらかじめ年齢や疾病情報を入力し、それにより前記［数７］のオフセット補正値ζ、ηを年齢や疾病情報で補正する。本実施例では、操作部２１３０などの入力部で年齢や疾病情報の入力を許容するとともに、ＣＰＵ２１２０が、入力した年齢や疾病情報に基づく補正を前記［数７］に加えた下記［数１２］に示す所定の演算により、収縮期血圧算出パラメータ、拡張期血圧算出パラメータを算出して、これを最適化している。すわなち、本実施例では、所定の比率φをオフセット補正値ζに乗じてこれを補正するとともに、所定の比率χをオフセット補正値ηに乗じてこれを補正している。
【０１２５】
［数１２］  
収縮期血圧算出パラメータ＝圧脈波振幅最大値×α＋ζ×φ  
拡張期血圧算出パラメータ＝圧脈波振幅最大値×β＋η×χ  
ここで、前記［数１２］におけるφおよびχは、あらかじめ実験により決定された値である。これらの値は年齢や疾病情報と対応づけたオフセット補正値決定用テーブルをあらかじめ電子血圧計２１００のメモリ２１２３内に記録しておき、そのテーブルより読み出す方法で決定すれば良い。
【０１２６】
また、年齢や疾病情報は、測定開始時に操作部２１３０より入力するようにすればよい。また、あらかじめ使用者と年齢または疾病情報を関連づけてメモリ２１２３内に記録しておき、測定開始時に操作部２１３０より使用者を選択することで、メモリ２１２３より読み出すようにしてもよい。また、外部メモリ２１７２などの媒体に年齢や疾病情報を記録しておき、測定開始時にその情報を読み出すようにしてもよい。
【０１２７】
また、本実施例の場合、１回の血圧測定におけるカフ圧の変化に基づいて所定のカフ圧に達するまでの時間を測定し、この時間に基づいて利用者の動脈Ｂの弾性を検出し、その検出結果に基づいて疾病情報（この場合、動脈硬化の情報）を取得するようにしてもよい。
【０１２８】
このように、利用者の年齢や疾病情報に基づいて前記オフセット補正値ζ、ηを補正することで、動脈Ｂの弾性の差に起因する誤差の影響を抑制して正確な血圧値を算出できる。
【０１２９】
この発明は、上述の実施形態の構成のみに限定されるものではなく、多くの実施の形態を得ることができる。
【０１３０】
例えば、電子血圧計２１００は、専用のサーバから適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。
【０１３１】
また、電子血圧計２１００の機能拡張は、前記サーバを用いず、利用者が所有するパーソナルコンピュータ等のユーザ端末から実行する構成にしてもよい。この場合、ＣＤ−ＲＯＭなどの記録媒体からパラメータ、閾値、アルゴリズムなどをダウンロードする構成にしてもよい。
【０１３２】
また、電子血圧計２１００を、体組成計、歩数計、電子体温計といった他の生体情報取得装置と直接無線または有線で通信可能に接続してもよい。この場合も、相互にデータを送受信して個々の精度を向上させることができる。
【産業上の利用可能性】
【０１３３】
この発明は、カフを用いるオシロメトリック方式を採用した電子血圧計に利用することができる。
【符号の説明】
【０１３４】
２１００…電子血圧計、２１０１…カフ、２１０３…圧力センサ、２１０４…ポンプ、２１０５…弁、２１２０…ＣＰＵ、２１２１…表示部、２１２２…メモリ（処理用）、２１２３…メモリ（記録用）、２１３０…操作部
【手続補正２】
【補正対象書類名】特許請求の範囲
【補正対象項目名】全文
【補正方法】変更
【補正の内容】
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、
前記血圧算出手段は、血圧測定時における動脈の容積変化を示す圧脈波振幅の最大値に対し定数を乗算する所定の演算に基づいて血圧算出パラメータを算出する構成であり、
血圧測定時における利用者の状態又は／及び前記カフの状態に関連する測定状態関連情報を別途取得する情報取得手段と、
該情報取得手段により前記測定状態関連情報を取得した場合、前記定数を前記測定状態関連情報に基づいて補正することにより、血圧算出パラメータを補正する補正手段とを備え、
前記情報取得手段は、利用者の状態に関連する前記測定状態関連情報として、仮決定した血圧値の情報を取得する構成であり、
前記補正手段は、前記仮決定した血圧値に基づいて前記第１、第２定数を補正する構成である
電子血圧計。
【請求項２】
前記血圧算出手段は、圧脈波振幅の最大値に対し第１定数を乗算し、かつ前記カフ内の圧力を血圧値測定範囲外の所定圧に加圧した時に発生するバックグラウンド脈波の成分に関連する第３定数を加算する所定の演算に基づいて収縮期血圧算出パラメータを算出するとともに、
圧脈波振幅の最大値に第２定数を乗算し、かつ前記バックグラウンド脈波の成分に関連する第４定数を加算する所定の演算に基づいて収縮期血圧算出パラメータを算出する構成であり、
前記補正手段は、前記測定状態関連情報に基づいて前記第３、第４定数を補正する構成である
請求項１記載の電子血圧計。
【請求項３】
前記情報取得手段は、利用者の状態に関連する前記測定状態関連情報として、仮決定した血圧値の情報を取得する構成であり、
前記補正手段は、前記仮決定した血圧値に基づいて前記第１、第２定数または前記第３、第４定数を補正する構成である
請求項１または２記載の電子血圧計。
【請求項４】
前記情報取得手段は、前記測定状態関連情報としてカフ圧の最大値の情報を取得する構成であり、
前記補正手段は、前記カフ圧の最大値に基づいて前記第１、第２定数または前記第３、第４定数を補正する構成である
請求項１または２記載の電子血圧計。
【請求項５】
前記情報取得手段は、利用者の状態に関連する前記測定状態関連情報として、圧脈波振幅の最大値の情報を取得する構成であり、
前記補正手段は、前記圧脈波振幅の最大値に基づいて前記第１、第２定数または前記第３、第４定数を補正する構成である
請求項１または２記載の電子血圧計。
【請求項６】
前記情報取得手段は、前記測定状態関連情報として前記カフの巻付け強度の情報を取得する構成であり、
前記補正手段は、前記カフの巻付け強度の情報に基づいて前記第１、第２定数または前記第３、第４定数を補正する構成である
請求項１または２記載の電子血圧計。
【請求項７】
前記情報取得手段は、前記測定状態関連情報として前記カフのサイズ又は／及び種類に関連するカフ仕様情報を取得する構成であり、
前記補正手段は、前記カフ仕様情報に基づいて前記第１、第２定数または前記第３、第４定数を補正する構成である
請求項１または２記載の電子血圧計。
【請求項８】
前記情報取得手段は、前記測定状態関連情報として利用者の測定部位に関連する情報を取得する構成であり、
前記補正手段は、利用者の測定部位に関連する情報に基づいて前記第１、第２定数または前記第３、第４定数を補正する構成である
請求項１または２記載の電子血圧計。
【請求項９】
前記情報取得手段は、前記測定状態関連情報として利用者の疾病情報を取得する構成であり、
前記補正手段は、利用者の疾病情報に基づいて前記第１、第２定数または前記第３、第４定数を補正する構成である
請求項１または２記載の電子血圧計。
【請求項１０】
前記情報取得手段は、前記測定状態関連情報として利用者の年齢情報を取得する構成であり、
前記補正手段は、利用者の年齢情報に基づいて前記第１、第２定数または前記第３、第４定数を補正する構成である
請求項１または２記載の電子血圧計。
【請求項１１】
前記情報取得手段は、前記のカフの内圧の変化の検出に基づいて前記測定状態関連情報を取得する構成である
請求項１または２記載の電子血圧計。
【請求項１２】
利用者による前記測定状態関連情報の入力を許容する入力手段を備え、
前記情報取得手段は、前記血圧測定開始前に入力された前記測定状態関連情報を取得する構成である
請求項１または２記載の電子血圧計。
【請求項１３】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
前記血圧算出手段において、血圧測定時における動脈の容積変化を示す圧脈波振幅の最大値に対し、予め設定した定数を用いて所定の演算を実行することにより血圧算出パラメータを算出するステップを有するとともに、
血圧測定時における利用者の状態又は／及び前記カフの状態に関連する測定状態関連情報を情報取得手段により別途取得し、
前記測定状態関連情報を前記情報取得手段により取得した場合、補正手段において前記定数を前記測定状態関連情報に基づいて補正することにより、前記血圧算出パラメータを補正するステップを有し、
前記血圧算出手段により血圧算出パラメータを算出するステップは、圧脈波振幅の最大値に対し前記定数を乗算する所定の演算に基づいて血圧算出パラメータを算出し、
前記補正手段により補正するステップは、前記利用者の状態に関連する測定状態関連情報として、仮決定した血圧値の情報を情報取得手段により取得し、
前記仮決定した血圧値に基づいて前記定数を補正する
血圧測定方法。
【請求項１４】
前記血圧算出手段により血圧算出パラメータを算出するステップは、圧脈波振幅の最大値に対し第１定数を乗算し、かつ前記バックグラウンド脈波の成分に関連する第３定数を加算する所定の演算に基づいて収縮期血圧算出パラメータを算出するとともに、
圧脈波振幅の最大値に対し第２定数を乗算し、かつ前記バックグラウンド脈波の成分に関連する第４定数を加算する所定の演算に基づいて拡張期血圧算出パラメータを算出し、
前記補正手段により補正するステップは、前記測定状態関連情報に基づいて前記第３、第４定数を補正する
請求項１３記載の血圧測定方法。
【手続補正３】
【補正対象書類名】図面
【補正対象項目名】全図
【補正方法】変更
【補正の内容】
【図１】
2010073688.tif 000017
【図２】
2010073688.tif 000018
【図３】
2010073688.tif 000019
【図４】
2010073688.tif 000020
【図５】
2010073688.tif 000021
【図６】
2010073688.tif 000022
【図７】
2010073688.tif 000023
【図８】
2010073688.tif 000024
【図９】
2010073688.tif 000025
【図１０】
2010073688.tif 000026
【図１１】
2010073688.tif 000027
【図１２】
2010073688.tif 000028
【図１３】
2010073688.tif 000029
【図１４】
2010073688.tif 000030
【国際調査報告】
2010073688.tif 000031
2010073688.tif 000032
2010073688.tif 000033
2010073688.tif 000034
2010073688.tif 000035